(57)【要約】【課題】  タブ有用紙のタブ部をも含めて片面あるいは両面の画像形成をする。【解決手段】  タブを有する用紙のタブの情報が入力される情報入力部と、タブを有しない用紙およびタブを有する用紙を給紙可能な給紙部と、前記給紙部により給紙された用紙について画像形成前に複数個の検知部によりタブの位置を検知するタブ検知部と、画像形成に関する各種制御を行う制御部と、前記給紙部により順次給紙されて搬送される用紙の間隔を一定に保つ搬送駆動を行う搬送駆動部と、を備え、前記制御部は、前記タブ検知部で検知された結果に基づく用紙の搬送方向後端と、次の用紙の搬送方向先端との間隔が一定になるように前記搬送駆動部を制御する。【選択図】      図１
2005225673.tif 000002
【特許請求の範囲】
【請求項１】
タブを有する用紙およびタブを有しない用紙を給紙可能な給紙部と、
前記給紙部により給紙された前記用紙のタブの給紙方向端部を検知するタブ検知部と、
前記給紙部により給紙される前記用紙を搬送する搬送駆動部と、
前記タブ検知部で検知された結果に基づき、前記用紙の搬送方向後端と、次の用紙の搬送方向先端との間隔が一定になるように、前記搬送駆動部を制御する制御部と、
を有する画像形成装置。
【請求項２】
前記タブ検知部は、前記タブが前記用紙の搬送方向先端にあるか後端にあるかを検知する、
ことを特徴とする請求項１記載の画像形成装置。
【請求項３】
前記タブ検知部は、前記用紙の搬送方向と直交する方向での前記タブの位置を検知する、
ことを特徴とする請求項１または請求項２に記載の画像形成装置。
【請求項４】
前記タブに画像を形成するための画像形成部を有する、
ことを特徴とする請求項１乃至請求項３のいずれかに記載の画像形成装置。
【請求項５】
前記タブを有する用紙の前記タブに関する情報が入力される情報入力部を有し、
前記制御部は、前記検知結果と前記情報とに基づいて前記用紙の搬送方向後端と、次の用紙の搬送方向先端との間隔が一定になるように、前記搬送駆動部を制御する、
ことを特徴とする請求項１乃至請求項４のいずれかに記載の画像形成装置。
【請求項６】
タブを有する用紙の前記タブに関する情報が入力される情報入力部と、
前記タブを有する用紙およびタブを有しない用紙を給紙可能な給紙部と、
前記タブを有する用紙における前記タブの位置を検知するタブ検知部と、
前記タブを有する用紙の前記タブに画像を形成するための画像形成部と、
前記タブへの画像形成を行う場合であって、前記情報入力部に入力された前記タブに関する情報と、前記タブ検知部で検知された検知結果とが一致しない場合には、画像形成動作を停止させる制御を行う制御部と、
を有する画像形成装置。
【請求項７】
前記タブ検知部は、前記給紙部により給紙された前記用紙の前記タブの位置を検知する、
ことを特徴とする請求項６記載の画像形成装置。
【請求項８】
前記タブ検知部は、前記画像形成部による前記用紙への画像形成の前に、該用紙の前記タブの位置を検知する、
ことを特徴とする請求項７記載の画像形成装置。
【請求項９】
前記画像形成部は、一方の面に画像形成された前記用紙を循環させることにより該用紙の他方の面にも画像形成が可能であり、
前記タブ検知部は、前記用紙のそれぞれの面の画像形成の前に、該用紙の前記タブの位置を検知する、
ことを特徴とする請求項７記載の画像形成装置。
【請求項１０】
前記タブ検知部は、前記用紙の搬送方向と直交する方向での前記タブの位置を検知する、
ことを特徴とする請求項６乃至請求項９のいずれかに記載の画像形成装置。
【請求項１１】
前記タブ検知部は、前記用紙の搬送方向で前記タブの位置を検知する、
ことを特徴とする請求項６乃至請求項９のいずれかに記載の画像形成装置。
【請求項１２】
タブを有する用紙およびタブを有しない用紙を給紙可能な給紙部と、
前記タブを有する用紙における前記タブの位置を検知するタブ検知部と、
前記タブを有する用紙の前記タブに画像を形成可能な画像形成部と、
前記タブ検知部の検知結果と、前記タブが用紙の先端側にあるか後端側にあるかの情報とに基づいて、前記画像形成部の画像形成タイミングを制御する制御部と、
を有する画像形成装置。
【請求項１３】
前記タブ検知部は、前記用紙の搬送方向と直交する方向での前記タブの位置を検知する、
ことを特徴とする請求項１２記載の画像形成装置。
【請求項１４】
前記タブ検知部は、前記タブが前記用紙の搬送方向先端にあるか後端にあるかを検知する、
ことを特徴とする請求項１２または請求項１３に記載の画像形成装置。
【請求項１５】
前記制御部は、前記タブ検知部の検知結果と、前記タブが用紙の先端側にあるか後端側にあるかの情報とに基づいて、前記タブを有する用紙のタブを含めた両面に画像を形成するように、前記画像形成部における画像形成タイミングを制御する、
ことを特徴とする請求項１２乃至請求項１４のいずれかに記載の画像形成装置。
【請求項１６】
前記画像形成タイミングは、前記用紙への画像の書き出しタイミングである、
ことを特徴とする請求項１２乃至請求項１５のいずれかに記載の画像形成装置。
【請求項１７】
前記タブを有する用紙の前記タブに関する情報が入力される情報入力部を有する、
ことを特徴とする請求項１２乃至請求項１６のいずれかに記載の画像形成装置。
【請求項１８】
前記情報入力部に入力されるタブに関する情報は、タブタイプ、タブ位置、タブ幅、タブ長さ、タブ分割数、挿入頁、タブ画像形成有無、タブ画像形成内容のうち少なくとも一つを含む、
ことを特徴とする請求項５乃至請求項１１または請求項１７のいずれかに記載の画像形成装置。
【請求項１９】
前記タブ検知部は、前記給紙部により給紙された用紙について画像形成前に複数個の検知部によりタブの位置を検知する
ことを特徴とする請求項１乃至請求項１８のいずれかに記載の画像形成装置。
【請求項２０】
異常状態を報知する報知部を備え、
前記制御部は、前記タブへの画像形成を行う場合であって、前記情報入力部に入力された前記タブに関する情報と、前記タブ検知部で検知された検知結果とが一致しない場合には、前記報知部による報知を行う、
ことを特徴とする請求項５乃至請求項１１、請求項１７または請求項１８のいずれかに記載の画像形成装置。
【請求項２１】
異常状態を報知する報知部を備え、
前記制御部は、前記タブへの画像形成を行う場合であって、前記情報入力部に入力された前記タブに関する情報と、前記タブ検知部で検知された検知結果とが不一致の場合には前記報知部による報知を行い、さらに、前記不一致によりタブへの画像形成ができない場合に画像形成動作を停止させる制御を行う、
ことを特徴とする請求項５乃至請求項１１、請求項１７乃至請求項１９のいずれかに記載の画像形成装置。
【請求項２２】
前記制御部は、前記給紙部により給紙された用紙について、前記タブ検知部の複数個の検知部による検知結果を参照して用紙の傾きを算出し、算出された用紙の傾きに応じて、前記画像形成部で画像形成すべき画像情報を補正する、
ことを特徴とする請求項１乃至請求項２１のいずれかに記載の画像形成装置。
【請求項２３】
前記制御部による補正は、用紙に画像形成される画像について、用紙上で傾きが生じないような補正である、
ことを特徴とする請求項２２記載の画像形成装置。
【発明の詳細な説明】
【技術分野】
【０００１】
本発明は複写機、プリンタなどの画像形成装置に関し、特に、タブを有する用紙を用いることが可能な画像形成装置に関する。
【背景技術】
【０００２】
複写機、プリンタなどの各種の画像形成装置において、タブを有する用紙（タブ有用紙）を用いることがあった。
図１５はタブ有用紙の様子を示す説明図である。この図１５において、７枚の用紙が並んでいる様子を示しており、手前から３枚目の用紙（図１５でＸ）と５枚目の用紙（図１５でＹ）とが「タブ有用紙」である。
【０００３】
また、この図１５において、手前から３枚目の用紙（図１５でＸ）において突出した部分ｘがタブであり、手前から５枚目の用紙（図１５でＹ）において突出した部分ｙがタブである。なお、図１６において、Ｌはタブ長さ、Ｗはタブ幅である。また、図１５において、ｘとｙとでタブが設けられた用紙長辺に対する位置が異なっているが、この位置がタブ位置である。
【０００４】
また、図１７はタブの種類の一例を示す説明図である。この図１７（ａ）に示すタブは、タブ幅が同一であって、タブ長さがそれぞれ異なるタブ（タイプＡ）が、タブが設けられた側の用紙の辺を３分割する形（３タブ）で設けられたものを示している。すなわち、この場合の分割数は３である。
【０００５】
また、この図１７（ｂ）に示すタブは、タブ幅が同一であって、タブ長さがそれぞれ異なるタブ（タイプＡ）が、タブが設けられた側の用紙の辺を４分割する形（４タブ）で設けられたものを示している。すなわち、この場合の分割数は４である。
【０００６】
この図１７（ｃ）に示すタブは、タブ幅とタブ長さが同一であって、タブの設けられた位置（タブ位置）がそれぞれ異なるタブ（タイプＢ）が、タブが設けられた側の用紙の辺を３分割する形（３タブ）で設けられたものを示している。すなわち、この場合の分割数は３である。
【０００７】
また、この図１７（ｄ）に示すタブは、タブ幅とタブ長さが同一であって、タブの設けられた位置（タブ位置）がそれぞれ異なるタブ（タイプＢ）が、タブが設けられた側の用紙の辺を４分割する形（４タブ）で設けられたものを示している。すなわち、この場合の分割数は４である。
【０００８】
なお、実際には、以上の分割数によって、同一タイプのタブであっても、タブ位置、タブ長さ、タブ幅が異なったものになるため、従来の画像形成装置では、タブ位置検知を行うようには構成されていなかった。
【０００９】
また、タブ部への画像形成がはみ出さないように、タブ位置を合わせた状態で給紙カセットにセットする必要があった。なお、実際には、タブ部への画像形成に関しては、実際に画像形成してみないと状態を確認することができなかった。
【００１０】
また、タブ有用紙はインターシートとして挿入される用途であったため、タブ位置を合うような状態の挿入順番で給紙カセットにセットする必要があった。すなわち、タブ有用紙のタブ位置の順番を間違えてセットしてしまった場合、所望のタブ位置のタブ有用紙が挿入されない問題があった。
【００１１】
また、同様に、タブ位置、タブ長さ、タブ幅が異なったものになるため、従来の画像形成装置では、搬送方向の先頭にタブが来ると、レジストローラ等にタブが当接した際、用紙の方向が曲がり、用紙の制御が難しく、搬送方向の下流側のみの画像形成しかできず、タブ有用紙の両面に画像形成することはできなかった。
【００１２】
また、タブ幅やタブ長さなどを検知や管理していなかったので、画像形成装置内の搬送通紙間隔が狭い場合やスリップが発生した場合などでは、タブ有用紙と他の用紙とが衝突する恐れもあった。
【００１３】
なお、この種のタブ有用紙を扱う画像形成装置として、以下の特許文献１に通紙タイミングの制御についての提案がなされている。
【特許文献１】特開平８−２４５００３号公報（第２頁、図８〜図９）
【発明の開示】
【発明が解決しようとする課題】
【００１４】
以上の特許文献１では、タブ有用紙と通常用紙（タブ有用紙以外の用紙（タブ無用紙））とを搬送する場合に、その並びにより給紙間隔を計算して給紙するようにしている。
しかし、このような手法では、予定しているタブ有用紙以外のタブ有用紙が実際に給紙された場合には、搬送や画像形成について対処することができなくなる問題を有している。
【００１５】
この結果、実際の画像形成装置では、タブを有する用紙を挿入する場合には、その前後の通紙間隔に余裕を持たせるようにしていた。この結果、タブを有する用紙を使用する場合には、画像形成装置の持つ能力（生産性（単位時間あたりの通紙枚数））を最大限に活かすことができていない状態にあった。
【００１６】
本発明は以上の課題に鑑みてなされたものであって、以下に述べるような目的を有している。
第１の目的はタブ有用紙を用いた場合でも生産性を最大限に活かすことができる画像形成装置の実現である。
【００１７】
また、本発明の第２の目的は、タブ有用紙を用いた場合に、意図しない画像が形成されることや用紙外に画像が形成されることを抑制することが可能な画像形成装置の実現である。
【００１８】
また、本発明の第３の目的は、タブ有用紙を用いた場合に、意図した画像が形成可能な画像形成装置の実現である。
【課題を解決するための手段】
【００１９】
すなわち、上記の課題を解決する本願発明は、以下のそれぞれに述べるようなものである。
（１）請求項１記載の発明は、タブを有する用紙およびタブを有しない用紙を給紙可能な給紙部と、前記給紙部により給紙された前記用紙のタブの給紙方向端部を検知するタブ検知部と、前記給紙部により給紙される前記用紙を搬送する搬送駆動部と、前記タブ検知部で検知された結果に基づき、前記用紙の搬送方向後端と、次の用紙の搬送方向先端との間隔が一定になるように、前記搬送駆動部を制御する制御部と、を有する画像形成装置である。
【００２０】
この画像形成装置では、給紙された用紙について給紙後にタブの給紙方向端部が検知され、この検知結果に基づいて、用紙の搬送方向後端と次の用紙の搬送方向先端との間隔が一定になるように、用紙の搬送が制御される。
【００２１】
（２）請求項２記載の発明は、前記タブ検知部は、前記タブが前記用紙の搬送方向先端にあるか後端にあるかを検知する、ことを特徴とする請求項１記載の画像形成装置である。
【００２２】
この画像形成装置では、給紙された用紙について給紙後にタブの給紙方向端部が検知され、さらに、該タブが搬送方向先端／搬送方向後端のいずれにあるかが検知され、これらの検知結果に基づいて、用紙の搬送方向後端と次の用紙の搬送方向先端との間隔が一定になるように、用紙の搬送が制御される。
【００２３】
（３）請求項３記載の発明は、前記タブ検知部は、前記用紙の搬送方向と直交する方向での前記タブの位置を検知する、ことを特徴とする請求項１または請求項２に記載の画像形成装置である。
【００２４】
この画像形成装置では、給紙された用紙について給紙後にタブの給紙方向端部が検知され、さらに、用紙の搬送方向と直交する方向でのタブの位置が検知され、これらの検知結果に基づいて、用紙の搬送方向後端と次の用紙の搬送方向先端との間隔が一定になるように、用紙の搬送が制御される。
【００２５】
また、この画像形成装置では、給紙された用紙について給紙後にタブの給紙方向端部が検知され、該タブが搬送方向先端／搬送方向後端のいずれにあるかが検知され、さらに、用紙の搬送方向と直交する方向でのタブの位置が検知され、これらの検知結果に基づいて、用紙の搬送方向後端と次の用紙の搬送方向先端との間隔が一定になるように、用紙の搬送が制御される。
【００２６】
（４）請求項４記載の発明は、前記タブに画像を形成するための画像形成部を有する、ことを特徴とする請求項１乃至請求項３のいずれかに記載の画像形成装置である。
この画像形成装置では、給紙された用紙について給紙後にタブの給紙方向端部が検知され、この検知結果に基づいて、用紙の搬送方向後端と次の用紙の搬送方向先端との間隔が一定になるように用紙の搬送が制御され、画像形成部によってタブに画像が形成される。      
【００２７】
また、この画像形成装置では、給紙された用紙について給紙後にタブの給紙方向端部が検知され、さらに、該タブが搬送方向先端／搬送方向後端のいずれにあるかが検知され、これらの検知結果に基づいて、用紙の搬送方向後端と次の用紙の搬送方向先端との間隔が一定になるように用紙の搬送が制御され、画像形成部によってタブに画像が形成される。      
【００２８】
また、この画像形成装置では、給紙された用紙について給紙後にタブの給紙方向端部が検知され、さらに、用紙の搬送方向と直交する方向でのタブの位置が検知され、これらの検知結果に基づいて、用紙の搬送方向後端と次の用紙の搬送方向先端との間隔が一定になるように用紙の搬送が制御され、画像形成部によってタブに画像が形成される。
【００２９】
また、この画像形成装置では、給紙された用紙について給紙後にタブの給紙方向端部が検知され、該タブが搬送方向先端／搬送方向後端のいずれにあるかが検知され、さらに、用紙の搬送方向と直交する方向でのタブの位置が検知され、これらの検知結果に基づいて、用紙の搬送方向後端と次の用紙の搬送方向先端との間隔が一定になるように、用紙の搬送が制御され、画像形成部によってタブに画像が形成される。
【００３０】
（５）請求項５記載の発明は、タブを有する用紙の前記タブに関する情報が入力される情報入力部を有し、制御部は、前記検知結果と前記情報とに基づいて前記用紙の搬送方向後端と、次の用紙の搬送方向先端との間隔が一定になるように、前記搬送駆動部を制御する、ことを特徴とする請求項１乃至請求項４のいずれかに記載の画像形成装置である。
【００３１】
この画像形成装置では、給紙された用紙について給紙後にタブの給紙方向端部が検知され、情報入力部にタブに関する情報が入力され、検知結果と入力情報とに基づいて、用紙の搬送方向後端と次の用紙の搬送方向先端との間隔が一定になるように用紙の搬送が制御される。
【００３２】
この画像形成装置では、給紙された用紙について給紙後にタブの給紙方向端部が検知され、さらに、該タブが搬送方向先端／搬送方向後端のいずれにあるかが検知され、情報入力部にタブに関する情報が入力され、検知結果と入力情報とに基づいて、用紙の搬送方向後端と次の用紙の搬送方向先端との間隔が一定になるように用紙の搬送が制御される。
【００３３】
この画像形成装置では、給紙された用紙について給紙後にタブの給紙方向端部が検知され、さらに、用紙の搬送方向と直交する方向でのタブの位置が検知され、情報入力部にタブに関する情報が入力され、検知結果と入力情報とに基づいて、用紙の搬送方向後端と次の用紙の搬送方向先端との間隔が一定になるように用紙の搬送が制御される。
【００３４】
また、この画像形成装置では、給紙された用紙について給紙後にタブの給紙方向端部が検知され、該タブが搬送方向先端／搬送方向後端のいずれにあるかが検知され、さらに、用紙の搬送方向と直交する方向でのタブの位置が検知され、情報入力部にタブに関する情報が入力され、検知結果と入力情報とに基づいて、用紙の搬送方向後端と次の用紙の搬送方向先端との間隔が一定になるように用紙の搬送が制御される。
【００３５】
この画像形成装置では、給紙された用紙について給紙後にタブの給紙方向端部が検知され、情報入力部にタブに関する情報が入力され、検知結果と入力情報とに基づいて、用紙の搬送方向後端と次の用紙の搬送方向先端との間隔が一定になるように用紙の搬送が制御され、画像形成部によってタブに画像が形成される。
【００３６】
また、この画像形成装置では、給紙された用紙について給紙後にタブの給紙方向端部が検知され、さらに、該タブが搬送方向先端／搬送方向後端のいずれにあるかが検知され、情報入力部にタブに関する情報が入力され、検知結果と入力情報とに基づいて、用紙の搬送方向後端と次の用紙の搬送方向先端との間隔が一定になるように用紙の搬送が制御され、画像形成部によってタブに画像が形成される。
【００３７】
また、この画像形成装置では、給紙された用紙について給紙後にタブの給紙方向端部が検知され、さらに、用紙の搬送方向と直交する方向でのタブの位置が検知され、情報入力部にタブに関する情報が入力され、検知結果と入力情報とに基づいて、用紙の搬送方向後端と次の用紙の搬送方向先端との間隔が一定になるように用紙の搬送が制御され、画像形成部によってタブに画像が形成される。
【００３８】
また、この画像形成装置では、給紙された用紙について給紙後にタブの給紙方向端部が検知され、該タブが搬送方向先端／搬送方向後端のいずれにあるかが検知され、さらに、用紙の搬送方向と直交する方向でのタブの位置が検知され、情報入力部にタブに関する情報が入力され、検知結果と入力情報とに基づいて、用紙の搬送方向後端と次の用紙の搬送方向先端との間隔が一定になるように、用紙の搬送が制御され、画像形成部によってタブに画像が形成される。
【００３９】
（６）請求項６記載の発明は、タブを有する用紙の前記タブに関する情報が入力される情報入力部と、前記タブを有する用紙およびタブを有しない用紙を給紙可能な給紙部と、前記タブを有する用紙における前記タブの位置を検知するタブ検知部と、前記タブを有する用紙の前記タブに画像を形成するための画像形成部と、前記タブへの画像形成を行う場合であって、前記情報入力部に入力された前記タブに関する情報と、前記タブ検知部で検知された検知結果とが一致しない場合には、画像形成動作を停止させる制御を行う制御部と、を有する画像形成装置である。
【００４０】
この発明では、タブへの画像形成を行う場合であって、情報入力部に入力されたタブに関する情報と、タブ検知部で検知されたタブ位置とが一致しない場合には、画像形成動作を停止させるように制御される。
【００４１】
（７）請求項７記載の発明は、前記タブ検知部は、前記給紙部により給紙された前記用紙の前記タブの位置を検知する、ことを特徴とする請求項６記載の画像形成装置である。  この発明では、タブへの画像形成を行う場合であって、情報入力部に入力されたタブに関する情報と、給紙部によって給紙された用紙についてタブ検知部で検知されたタブ位置とが一致しない場合には、画像形成動作を停止させるように制御される。
【００４２】
（８）請求項８記載の発明は、前記タブ検知部は、前記画像形成部による前記用紙への画像形成の前に、該用紙の前記タブの位置を検知する、ことを特徴とする請求項７記載の画像形成装置である。
【００４３】
この発明では、タブへの画像形成を行う場合であって、情報入力部に入力されたタブに関する情報と、画像形成前に給紙部によって給紙された用紙についてタブ検知部で検知されたタブ位置とが一致しない場合には、画像形成動作を停止させるように制御される。
【００４４】
（９）請求項９記載の発明は、前記画像形成部は、一方の面に画像形成された前記用紙を循環させることにより該用紙の他方の面にも画像形成が可能であり、前記タブ検知部は、前記用紙のそれぞれの面の画像形成の前に、該用紙の前記タブの位置を検知する、ことを特徴とする請求項７記載の画像形成装置である。
【００４５】
この発明では、タブへの画像形成を行う場合であって、情報入力部に入力されたタブに関する情報と、両面画像形成の各面で画像形成前に給紙部によって給紙された用紙についてタブ検知部で検知されたタブ位置とが一致しない場合には、画像形成動作を停止させるように制御される。
【００４６】
（１０）請求項１０記載の発明は、前記タブ検知部は、前記用紙の搬送方向と直交する方向での前記タブの位置を検知する、ことを特徴とする請求項６乃至請求項９のいずれかに記載の画像形成装置である。
【００４７】
この発明では、タブへの画像形成を行う場合であって、情報入力部に入力されたタブに関する情報と、タブ検知部で検知された搬送直交方向のタブ位置とが一致しない場合には、画像形成動作を停止させるように制御される。
【００４８】
この発明では、タブへの画像形成を行う場合であって、情報入力部に入力されたタブに関する情報と、給紙部によって給紙された用紙についてタブ検知部で検知された搬送直交方向でのタブ位置とが一致しない場合には、画像形成動作を停止させるように制御される。
【００４９】
この発明では、タブへの画像形成を行う場合であって、情報入力部に入力されたタブに関する情報と、画像形成前に給紙部によって給紙された用紙についてタブ検知部で検知された搬送直交方向でのタブ位置とが一致しない場合には、画像形成動作を停止させるように制御される。
【００５０】
この発明では、タブへの画像形成を行う場合であって、情報入力部に入力されたタブに関する情報と、両面画像形成の各面で画像形成前に給紙部によって給紙された用紙についてタブ検知部で検知された搬送直交方向でのタブ位置とが一致しない場合には、画像形成動作を停止させるように制御される。
【００５１】
（１１）請求項１１記載の発明は、前記タブ検知部は、前記用紙の搬送方向で前記タブの位置を検知する、ことを特徴とする請求項６乃至請求項９のいずれかに記載の画像形成装置である。
【００５２】
この発明では、タブへの画像形成を行う場合であって、情報入力部に入力されたタブに関する情報と、タブ検知部で検知された搬送方向タブ位置とが一致しない場合には、画像形成動作を停止させるように制御される。
【００５３】
この発明では、タブへの画像形成を行う場合であって、情報入力部に入力されたタブに関する情報と、給紙部によって給紙された用紙についてタブ検知部で検知された搬送方向タブ位置とが一致しない場合には、画像形成動作を停止させるように制御される。
【００５４】
この発明では、タブへの画像形成を行う場合であって、情報入力部に入力されたタブに関する情報と、画像形成前に給紙部によって給紙された用紙についてタブ検知部で検知された搬送方向タブ位置とが一致しない場合には、画像形成動作を停止させるように制御される。
【００５５】
この発明では、タブへの画像形成を行う場合であって、情報入力部に入力されたタブに関する情報と、両面画像形成の各面で画像形成前に給紙部によって給紙された用紙についてタブ検知部で検知された搬送方向タブ位置とが一致しない場合には、画像形成動作を停止させるように制御される。
【００５６】
（１２）請求項１２記載の発明は、タブを有する用紙およびタブを有しない用紙を給紙可能な給紙部と、前記タブを有する用紙における前記タブの位置を検知するタブ検知部と、前記タブを有する用紙の前記タブに画像を形成可能な画像形成部と、前記タブ検知部の検知結果と、前記タブが用紙の先端側にあるか後端側にあるかの情報とに基づいて、前記画像形成部の画像形成タイミングを制御する制御部と、を有する画像形成装置である。
【００５７】
この発明では、タブに画像を形成可能な場合に、タブ検知部の検知結果と、タブが用紙の先端側にあるか後端側にあるかの入力情報とに基づいて、画像形成タイミングが制御される。
【００５８】
（１３）請求項１３記載の発明は、前記タブ検知部は、前記用紙の搬送方向と直交する方向での前記タブの位置を検知する、ことを特徴とする請求項１２記載の画像形成装置である。
【００５９】
この発明では、タブに画像を形成可能な場合に、タブ検知部で検知された搬送直交方向でのタブ位置と、タブが用紙の先端側にあるか後端側にあるかの入力情報とに基づいて、画像形成タイミングが制御される。
【００６０】
（１４）請求項１４記載の発明は、前記タブ検知部は、前記タブが前記用紙の搬送方向先端にあるか後端にあるかを検知する、ことを特徴とする請求項１２または請求項１３に記載の画像形成装置である。
【００６１】
この発明では、タブに画像を形成可能な場合に、該タブが先端／後端のいずれにあるかの検知結果と、該タブが先端／後端のいずれにあるかの入力情報とに基づいて、画像形成タイミングが制御される。
【００６２】
この発明では、タブに画像を形成可能な場合に、搬送直交方向でのタブ位置の検知結果と、該タブが先端／後端のいずれにあるかの検知結果と、該タブが先端／後端のいずれにあるかの入力情報とに基づいて、画像形成タイミングが制御される。
【００６３】
（１５）請求項１５記載の発明は、前記制御部は、前記タブ検知部の検知結果と、前記タブが用紙の先端側にあるか後端側にあるかの情報とに基づいて、前記タブを有する用紙のタブを含めた両面に画像を形成するように、前記画像形成部における画像形成タイミングを制御する、ことを特徴とする請求項１２乃至請求項１４のいずれかに記載の画像形成装置である。
【００６４】
この発明では、タブに画像を形成可能な場合に、タブ検知部の検知結果と、タブが用紙の先端側にあるか後端側にあるかの入力情報とに基づいて、タブを有する用紙のタブを含めた両面に画像を形成するように、画像形成タイミングが制御される。
【００６５】
この発明では、タブに画像を形成可能な場合に、タブ検知部で検知された搬送直交方向でのタブ位置と、タブが用紙の先端側にあるか後端側にあるかの入力情報とに基づいて、タブを有する用紙のタブを含めた両面に画像を形成するように、画像形成タイミングが制御される。
【００６６】
この発明では、タブに画像を形成可能な場合に、該タブが先端／後端のいずれにあるかの検知結果と、該タブが先端／後端のいずれにあるかの入力情報とに基づいて、タブを有する用紙のタブを含めた両面に画像を形成するように、画像形成タイミングが制御される。
【００６７】
この発明では、タブに画像を形成可能な場合に、搬送直交方向でのタブ位置の検知結果と、該タブが先端／後端のいずれにあるかの検知結果と、該タブが先端／後端のいずれにあるかの入力情報とに基づいて、タブを有する用紙のタブを含めた両面に画像を形成するように、画像形成タイミングが制御される。
【００６８】
（１６）請求項１６記載の発明は、前記画像形成タイミングは、前記用紙への画像の書き出しタイミングである、ことを特徴とする請求項１２乃至請求項１５のいずれかに記載の画像形成装置である。
【００６９】
この発明では、タブに画像を形成可能な場合に、タブ検知部の検知結果と、タブが用紙の先端側にあるか後端側にあるかの入力情報とに基づいて、画像形成タイミングとして画像形成書き出しタイミングが制御される。
【００７０】
この発明では、タブに画像を形成可能な場合に、タブ検知部で検知された搬送直交方向でのタブ位置と、タブが用紙の先端側にあるか後端側にあるかの入力情報とに基づいて、画像形成タイミングとして画像形成書き出しタイミングが制御される。
【００７１】
この発明では、タブに画像を形成可能な場合に、該タブが先端／後端のいずれにあるかの検知結果と、該タブが先端／後端のいずれにあるかの入力情報とに基づいて、画像形成タイミングとして画像形成書き出しタイミングが制御される。
【００７２】
この発明では、タブに画像を形成可能な場合に、搬送直交方向でのタブ位置の検知結果と、該タブが先端／後端のいずれにあるかの検知結果と、該タブが先端／後端のいずれにあるかの入力情報とに基づいて、画像形成タイミングとして画像形成書き出しタイミングが制御される。
【００７３】
この発明では、タブに画像を形成可能な場合に、タブ検知部の検知結果と、タブが用紙の先端側にあるか後端側にあるかの入力情報とに基づいて、タブを有する用紙のタブを含めた両面に画像を形成するように、画像形成タイミングとして画像形成書き出しタイミングが制御される。
【００７４】
この発明では、タブに画像を形成可能な場合に、タブ検知部で検知された搬送直交方向でのタブ位置と、タブが用紙の先端側にあるか後端側にあるかの入力情報とに基づいて、タブを有する用紙のタブを含めた両面に画像を形成するように、画像形成タイミングとして画像形成書き出しタイミングが制御される。
【００７５】
この発明では、タブに画像を形成可能な場合に、該タブが先端／後端のいずれにあるかの検知結果と、該タブが先端／後端のいずれにあるかの入力情報とに基づいて、タブを有する用紙のタブを含めた両面に画像を形成するように、画像形成タイミングとして画像形成書き出しタイミングが制御される。
【００７６】
この発明では、タブに画像を形成可能な場合に、搬送直交方向でのタブ位置の検知結果と、該タブが先端／後端のいずれにあるかの検知結果と、該タブが先端／後端のいずれにあるかの入力情報とに基づいて、タブを有する用紙のタブを含めた両面に画像を形成するように、画像形成タイミングとして画像形成書き出しタイミングが制御される。
【００７７】
（１７）請求項１７記載の発明は、前記タブを有する用紙の前記タブに関する情報が入力される情報入力部を有する、ことを特徴とする請求項１２乃至請求項１６のいずれかに記載の画像形成装置である。
【００７８】
この発明では、タブに画像を形成可能な場合に、タブ検知部による各種検知結果と、情報入力部からのタブが用紙の先端側にあるか後端側にあるかの入力情報とに基づいて、各種画像形成タイミングが制御される。
【００７９】
（１８）請求項１８記載の発明は、前記情報入力部に入力されるタブに関する情報は、タブタイプ、タブ位置、タブ幅、タブ長さ、タブ分割数、挿入頁、タブ画像形成有無、タブ画像形成内容のうち少なくとも一つを含む、ことを特徴とする請求項５乃至請求項１１または請求項１７のいずれかに記載の画像形成装置である。
【００８０】
この発明では、タブに画像を形成可能な場合に、タブタイプ、タブ位置、タブ幅、タブ長さ、タブ分割数、挿入頁、タブ画像形成有無、タブ画像形成内容のうち少なくとも一つを含むタブ検知部による各種検知結果と、情報入力部からのタブが用紙の先端側にあるか後端側にあるかの入力情報とに基づいて、各種画像形成タイミングが制御される。
【００８１】
（１９）請求項１９記載の発明は、前記タブ検知部は、前記給紙部により給紙された用紙について画像形成前に複数個の検知部によりタブの位置を検知することを特徴とする請求項１乃至請求項１８のいずれかに記載の画像形成装置である。
【００８２】
この発明では、給紙部により給紙された用紙について、画像形成前に複数個の検知部を有するタブ検知部によりタブの位置が検知される。
これにより、確実なタブ位置検知がなされ、適切な制御がなされるようになる。
【００８３】
（２０）請求項２０記載の発明は、異常状態を報知する報知部を備え、前記制御部は、前記タブへの画像形成を行う場合であって、前記情報入力部に入力された前記タブに関する情報と、前記タブ検知部で検知された検知結果とが一致しない場合には、前記報知部による報知を行う、ことを特徴とする請求項５乃至請求項１１、請求項１７または請求項１８のいずれかに記載の画像形成装置である。
【００８４】
この発明では、異常状態を報知する報知部を備えており、タブへの画像形成を行う場合に、入力された情報と、検知された検知結果とが一致しない場合には、報知部により異常状態を示す報知がなされる。
【００８５】
（２１）請求項２１記載の発明は、異常状態を報知する報知部を備え、前記制御部は、前記タブへの画像形成を行う場合であって、前記情報入力部に入力された前記タブに関する情報と、前記タブ検知部で検知された検知結果とが不一致の場合には前記報知部による報知を行い、さらに、前記不一致によりタブへの画像形成ができない場合に画像形成動作を停止させる制御を行う、ことを特徴とする請求項５乃至請求項１１、請求項１７乃至請求項１９のいずれかに記載の画像形成装置である。
【００８６】
この発明では、異常状態を報知する報知部を備えており、タブへの画像形成を行う場合に、入力された情報と、検知された検知結果とが不一致の場合には報知部による異常状態を示す報知がなされ、さらに、不一致によりタブへの画像形成ができない場合に画像形成動作停止の制御がなされる。
【００８７】
（２２）請求項２２記載の発明は、前記制御部は、前記給紙部により給紙された用紙について、前記タブ検知部の複数個の検知部による検知結果を参照して用紙の傾きを算出し、算出された用紙の傾きに応じて、前記画像形成部で画像形成すべき画像情報を補正する、ことを特徴とする請求項１乃至請求項２１のいずれかに記載の画像形成装置である。
【００８８】
この発明では、給紙された用紙について、タブ検知部の複数個の検知部による検知結果により用紙の傾きが算出され、算出された用紙の傾きに応じて、画像形成部で画像形成すべき画像情報を傾ける補正がなされる。
【００８９】
（２３）請求項２３記載の発明は、前記制御部による補正は、用紙に画像形成される画像について、用紙上で傾きが生じないような補正である、ことを特徴とする請求項２２記載の画像形成装置である。
【００９０】
この発明では、給紙された用紙について、タブ検知部の複数個の検知部による検知結果により用紙の傾きが算出され、算出された用紙の傾きに応じて、画像形成部で画像形成すべき画像情報を傾け、用紙に画像形成される画像に傾きが生じないように制御される。    
【発明の効果】
【００９１】
（１）請求項１記載の発明では、給紙された用紙について給紙後にタブの給紙方向端部が検知され、この検知結果に基づいて、用紙の搬送方向後端と次の用紙の搬送方向先端との間隔が一定になるように、用紙の搬送が制御されるため、余分な通紙間隔を与える必要がなくなり、タブ有用紙を用いた場合でも、生産性を最大限に活かしつつ画像形成が可能になる。
【００９２】
（２）請求項２記載の発明では、給紙された用紙について給紙後にタブの給紙方向端部が検知され、さらに、該タブが搬送方向先端／搬送方向後端のいずれにあるかが検知され、これらの検知結果に基づいて、用紙の搬送方向後端と次の用紙の搬送方向先端との間隔が一定になるように、用紙の搬送が制御されるため、余分な通紙間隔を与える必要がなくなり、タブ有用紙を用いた場合でも、生産性を最大限に活かしつつ画像形成が可能になる。
【００９３】
（３）請求項３記載の発明では、給紙された用紙について給紙後にタブの給紙方向端部が検知され、さらに、用紙の搬送方向と直交する方向でのタブの位置が検知され、これらの検知結果に基づいて、用紙の搬送方向後端と次の用紙の搬送方向先端との間隔が一定になるように、用紙の搬送が制御されるため、余分な通紙間隔を与える必要がなくなり、タブ有用紙を用いた場合でも、生産性を最大限に活かしつつ画像形成が可能になる。
【００９４】
また、請求項３記載の発明では、給紙された用紙について給紙後にタブの給紙方向端部が検知され、該タブが搬送方向先端／搬送方向後端のいずれにあるかが検知され、さらに、用紙の搬送方向と直交する方向でのタブの位置が検知され、これらの検知結果に基づいて、用紙の搬送方向後端と次の用紙の搬送方向先端との間隔が一定になるように、用紙の搬送が制御されるため、余分な通紙間隔を与える必要がなくなり、タブ有用紙を用いた場合でも、生産性を最大限に活かしつつ画像形成が可能になる。
【００９５】
（４）請求項４記載の発明では、給紙された用紙について給紙後にタブの給紙方向端部が検知され、この検知結果に基づいて、用紙の搬送方向後端と次の用紙の搬送方向先端との間隔が一定になるように用紙の搬送が制御され、画像形成部によってタブに画像が形成されるため、余分な通紙間隔を与える必要がなくなり、タブ有用紙を用いた場合でも、生産性を最大限に活かしつつ画像形成が可能になる。
【００９６】
また、請求項４記載の発明では、給紙された用紙について給紙後にタブの給紙方向端部が検知され、さらに、該タブが搬送方向先端／搬送方向後端のいずれにあるかが検知され、これらの検知結果に基づいて、用紙の搬送方向後端と次の用紙の搬送方向先端との間隔が一定になるように用紙の搬送が制御され、画像形成部によってタブに画像が形成されるため、余分な通紙間隔を与える必要がなくなり、タブ有用紙を用いた場合でも、生産性を最大限に活かしつつ画像形成が可能になる。
【００９７】
また、請求項４記載の発明では、給紙された用紙について給紙後にタブの給紙方向端部が検知され、さらに、用紙の搬送方向と直交する方向でのタブの位置が検知され、これらの検知結果に基づいて、用紙の搬送方向後端と次の用紙の搬送方向先端との間隔が一定になるように用紙の搬送が制御され、画像形成部によってタブに画像が形成されるため、余分な通紙間隔を与える必要がなくなり、タブ有用紙を用いた場合でも、生産性を最大限に活かしつつ画像形成が可能になる。
【００９８】
また、請求項４記載の発明では、給紙された用紙について給紙後にタブの給紙方向端部が検知され、該タブが搬送方向先端／搬送方向後端のいずれにあるかが検知され、さらに、用紙の搬送方向と直交する方向でのタブの位置が検知され、これらの検知結果に基づいて、用紙の搬送方向後端と次の用紙の搬送方向先端との間隔が一定になるように、用紙の搬送が制御され、画像形成部によってタブに画像が形成されるため、余分な通紙間隔を与える必要がなくなり、タブ有用紙を用いた場合でも、生産性を最大限に活かしつつ画像形成が可能になる。
【００９９】
（５）請求項５記載の発明では、給紙された用紙について給紙後にタブの給紙方向端部が検知され、情報入力部にタブに関する情報が入力され、検知結果と入力情報とに基づいて、用紙の搬送方向後端と次の用紙の搬送方向先端との間隔が一定になるように用紙の搬送が制御されるため、余分な通紙間隔を与える必要がなくなり、タブ有用紙を用いた場合でも、生産性を最大限に活かしつつ画像形成が可能になる。
【０１００】
また、請求項５記載の発明では、給紙された用紙について給紙後にタブの給紙方向端部が検知され、さらに、該タブが搬送方向先端／搬送方向後端のいずれにあるかが検知され、情報入力部にタブに関する情報が入力され、検知結果と入力情報とに基づいて、用紙の搬送方向後端と次の用紙の搬送方向先端との間隔が一定になるように用紙の搬送が制御されるため、余分な通紙間隔を与える必要がなくなり、タブ有用紙を用いた場合でも、生産性を最大限に活かしつつ画像形成が可能になる。
【０１０１】
また、請求項５記載の発明では、給紙された用紙について給紙後にタブの給紙方向端部が検知され、さらに、用紙の搬送方向と直交する方向でのタブの位置が検知され、情報入力部にタブに関する情報が入力され、検知結果と入力情報とに基づいて、用紙の搬送方向後端と次の用紙の搬送方向先端との間隔が一定になるように用紙の搬送が制御されるため、余分な通紙間隔を与える必要がなくなり、タブ有用紙を用いた場合でも、生産性を最大限に活かしつつ画像形成が可能になる。
【０１０２】
また、請求項５記載の発明では、給紙された用紙について給紙後にタブの給紙方向端部が検知され、該タブが搬送方向先端／搬送方向後端のいずれにあるかが検知され、さらに、用紙の搬送方向と直交する方向でのタブの位置が検知され、情報入力部にタブに関する情報が入力され、検知結果と入力情報とに基づいて、用紙の搬送方向後端と次の用紙の搬送方向先端との間隔が一定になるように用紙の搬送が制御されるため、余分な通紙間隔を与える必要がなくなり、タブ有用紙を用いた場合でも、生産性を最大限に活かしつつ画像形成が可能になる。
【０１０３】
また、請求項５記載の発明では、給紙された用紙について給紙後にタブの給紙方向端部が検知され、情報入力部にタブに関する情報が入力され、検知結果と入力情報とに基づいて、用紙の搬送方向後端と次の用紙の搬送方向先端との間隔が一定になるように用紙の搬送が制御され、画像形成部によってタブに画像が形成されるため、余分な通紙間隔を与える必要がなくなり、タブ有用紙を用いた場合でも、生産性を最大限に活かしつつ画像形成が可能になる。
【０１０４】
また、請求項５記載の発明では、給紙された用紙について給紙後にタブの給紙方向端部が検知され、さらに、該タブが搬送方向先端／搬送方向後端のいずれにあるかが検知され、情報入力部にタブに関する情報が入力され、検知結果と入力情報とに基づいて、用紙の搬送方向後端と次の用紙の搬送方向先端との間隔が一定になるように用紙の搬送が制御され、画像形成部によってタブに画像が形成されるため、余分な通紙間隔を与える必要がなくなり、タブ有用紙を用いた場合でも、生産性を最大限に活かしつつ画像形成が可能になる。
【０１０５】
また、請求項５記載の発明では、給紙された用紙について給紙後にタブの給紙方向端部が検知され、さらに、用紙の搬送方向と直交する方向でのタブの位置が検知され、情報入力部にタブに関する情報が入力され、検知結果と入力情報とに基づいて、用紙の搬送方向後端と次の用紙の搬送方向先端との間隔が一定になるように用紙の搬送が制御され、画像形成部によってタブに画像が形成されるため、余分な通紙間隔を与える必要がなくなり、タブ有用紙を用いた場合でも、生産性を最大限に活かしつつ画像形成が可能になる。
【０１０６】
また、請求項５記載の発明では、給紙された用紙について給紙後にタブの給紙方向端部が検知され、該タブが搬送方向先端／搬送方向後端のいずれにあるかが検知され、さらに、用紙の搬送方向と直交する方向でのタブの位置が検知され、情報入力部にタブに関する情報が入力され、検知結果と入力情報とに基づいて、用紙の搬送方向後端と次の用紙の搬送方向先端との間隔が一定になるように、用紙の搬送が制御され、画像形成部によってタブに画像が形成されるため、余分な通紙間隔を与える必要がなくなり、タブ有用紙を用いた場合でも、生産性を最大限に活かしつつ画像形成が可能になる。
【０１０７】
（６）請求項６記載の発明では、タブへの画像形成を行う場合であって、情報入力部に入力されたタブに関する情報と、タブ検知部で検知されたタブ位置とが一致しない場合には、画像形成動作を停止させるように制御されるため、タブ有用紙のタブ部をも含めて画像形成をする場合に、確実な画像形成がなされるようになり、意図しない画像が形成されることや用紙外に画像が形成されることが抑制される。
【０１０８】
（７）請求項７記載の発明では、タブへの画像形成を行う場合であって、情報入力部に入力されたタブに関する情報と、給紙部によって給紙された用紙についてタブ検知部で検知されたタブ位置とが一致しない場合には、画像形成動作を停止させるように制御されるため、タブ有用紙のタブ部をも含めて画像形成をする場合に、確実な画像形成がなされるようになり、意図しない画像が形成されることや用紙外に画像が形成されることが抑制される。
【０１０９】
（８）請求項８記載の発明では、タブへの画像形成を行う場合であって、情報入力部に入力されたタブに関する情報と、画像形成前に給紙部によって給紙された用紙についてタブ検知部で検知されたタブ位置とが一致しない場合には、画像形成動作を停止させるように制御されるため、タブ有用紙のタブ部をも含めて画像形成をする場合に、確実な画像形成がなされるようになり、意図しない画像が形成されることや用紙外に画像が形成されることが抑制される。
【０１１０】
（９）請求項９記載の発明では、タブへの画像形成を行う場合であって、情報入力部に入力されたタブに関する情報と、両面画像形成の各面で画像形成前に給紙部によって給紙された用紙についてタブ検知部で検知されたタブ位置とが一致しない場合には、画像形成動作を停止させるように制御されるため、タブ有用紙のタブ部をも含めて両面画像形成をする場合に、確実な画像形成がなされるようになり、意図しない画像が形成されることや用紙外に画像が形成されることが抑制される。
【０１１１】
（１０）請求項１０記載の発明では、タブへの画像形成を行う場合であって、情報入力部に入力されたタブに関する情報と、タブ検知部で検知された搬送直交方向のタブ位置とが一致しない場合には、画像形成動作を停止させるように制御されるため、タブ有用紙のタブ部をも含めて画像形成をする場合に、確実な画像形成がなされるようになり、意図しない画像が形成されることや用紙外に画像が形成されることが抑制される。
【０１１２】
また、請求項１０記載の発明では、タブへの画像形成を行う場合であって、情報入力部に入力されたタブに関する情報と、給紙部によって給紙された用紙についてタブ検知部で検知された搬送直交方向タブ位置とが一致しない場合には、画像形成動作を停止させるように制御されるため、タブ有用紙のタブ部をも含めて画像形成をする場合に、確実な画像形成がなされるようになり、意図しない画像が形成されることや用紙外に画像が形成されることが抑制される。
【０１１３】
また、請求項１０記載の発明では、タブへの画像形成を行う場合であって、情報入力部に入力されたタブに関する情報と、画像形成前に給紙部によって給紙された用紙についてタブ検知部で検知された搬送直交方向タブ位置とが一致しない場合には、画像形成動作を停止させるように制御されるため、タブ有用紙のタブ部をも含めて画像形成をする場合に、確実な画像形成がなされるようになり、意図しない画像が形成されることや用紙外に画像が形成されることが抑制される。
【０１１４】
また、請求項１０記載の発明では、タブへの画像形成を行う場合であって、情報入力部に入力されたタブに関する情報と、両面画像形成の各面で画像形成前に給紙部によって給紙された用紙についてタブ検知部で検知された搬送直交方向タブ位置とが一致しない場合には、画像形成動作を停止させるように制御されるため、タブ有用紙のタブ部をも含めて両面画像形成をする場合に、確実な画像形成がなされるようになり、意図しない画像が形成されることや用紙外に画像が形成されることが抑制される。
【０１１５】
（１１）請求項１１記載の発明では、タブへの画像形成を行う場合であって、情報入力部に入力されたタブに関する情報と、タブ検知部で検知された搬送方向タブ位置とが一致しない場合には、画像形成動作を停止させるように制御されるため、タブ有用紙のタブ部をも含めて画像形成をする場合に、確実な画像形成がなされるようになり、意図しない画像が形成されることや用紙外に画像が形成されることが抑制される。
【０１１６】
また、請求項１１記載の発明では、タブへの画像形成を行う場合であって、情報入力部に入力されたタブに関する情報と、給紙部によって給紙された用紙についてタブ検知部で検知された搬送方向タブ位置とが一致しない場合には、画像形成動作を停止させるように制御されるため、タブ有用紙のタブ部をも含めて画像形成をする場合に、確実な画像形成がなされるようになり、意図しない画像が形成されることや用紙外に画像が形成されることが抑制される。
【０１１７】
また、請求項１１記載の発明では、タブへの画像形成を行う場合であって、情報入力部に入力されたタブに関する情報と、画像形成前に給紙部によって給紙された用紙についてタブ検知部で検知された搬送方向タブ位置とが一致しない場合には、画像形成動作を停止させるように制御されるため、タブ有用紙のタブ部をも含めて画像形成をする場合に、確実な画像形成がなされるようになり、意図しない画像が形成されることや用紙外に画像が形成されることが抑制される。
【０１１８】
また、請求項１１記載の発明では、タブへの画像形成を行う場合であって、情報入力部に入力されたタブに関する情報と、両面画像形成の各面で画像形成前に給紙部によって給紙された用紙についてタブ検知部で検知された搬送方向タブ位置とが一致しない場合には、画像形成動作を停止させるように制御されるため、タブ有用紙のタブ部をも含めて両面画像形成をする場合に、確実な画像形成がなされるようになり、意図しない画像が形成されることや用紙外に画像が形成されることが抑制される。
【０１１９】
（１２）請求項１２記載の発明では、タブに画像を形成可能な場合に、タブ検知部の検知結果と、タブが用紙の先端側にあるか後端側にあるかの入力情報とに基づいて、画像形成タイミングが制御されるため、タブ有用紙を用いた場合に、意図した画像が形成できるようになる。
【０１２０】
（１３）請求項１３記載の発明では、タブに画像を形成可能な場合に、タブ検知部で検知された搬送直交方向タブ位置と、タブが用紙の先端側にあるか後端側にあるかの入力情報とに基づいて、画像形成タイミングが制御されるため、タブ有用紙を用いた場合に、意図した画像が形成できるようになる。
【０１２１】
（１４）請求項１４記載の発明では、タブに画像を形成可能な場合に、該タブが先端／後端のいずれにあるかの検知結果と、該タブが先端／後端のいずれにあるかの入力情報とに基づいて、画像形成タイミングが制御されるため、タブ有用紙を用いた場合に、意図した画像が形成できるようになる。
【０１２２】
また、請求項１４記載の発明では、タブに画像を形成可能な場合に、搬送直交方向タブ位置の検知結果と、該タブが先端／後端のいずれにあるかの検知結果と、該タブが先端／後端のいずれにあるかの入力情報とに基づいて、画像形成タイミングが制御されるため、タブ有用紙を用いた場合に、意図した画像が形成できるようになる。
【０１２３】
（１５）請求項１５記載の発明では、タブに画像を形成可能な場合に、タブ検知部の検知結果と、タブが用紙の先端側にあるか後端側にあるかの入力情報とに基づいて、タブを有する用紙のタブを含めた両面に画像を形成するように、画像形成タイミングが制御されるため、タブ有用紙を用いた場合に、意図した画像が形成できるようになる。
【０１２４】
また、請求項１５記載の発明では、タブに画像を形成可能な場合に、タブ検知部で検知された搬送直交方向タブ位置と、タブが用紙の先端側にあるか後端側にあるかの入力情報とに基づいて、タブを有する用紙のタブを含めた両面に画像を形成するように、画像形成タイミングが制御されるため、タブ有用紙を用いた場合に、意図した画像が形成できるようになる。
【０１２５】
また、請求項１５記載の発明では、タブに画像を形成可能な場合に、該タブが先端／後端のいずれにあるかの検知結果と、該タブが先端／後端のいずれにあるかの入力情報とに基づいて、タブを有する用紙のタブを含めた両面に画像を形成するように、画像形成タイミングが制御されるため、タブ有用紙を用いた場合に、意図した画像が形成できるようになる。
【０１２６】
また、請求項１５記載の発明では、タブに画像を形成可能な場合に、搬送直交方向タブ位置の検知結果と、該タブが先端／後端のいずれにあるかの検知結果と、該タブが先端／後端のいずれにあるかの入力情報とに基づいて、タブを有する用紙のタブを含めた両面に画像を形成するように、画像形成タイミングが制御されるため、タブ有用紙を用いた場合に、意図した画像が形成できるようになる。
【０１２７】
（１６）請求項１６記載の発明では、タブに画像を形成可能な場合に、タブ検知部の検知結果と、タブが用紙の先端側にあるか後端側にあるかの入力情報とに基づいて、画像形成タイミングとして画像形成書き出しタイミングが制御されるため、タブ有用紙を用いた場合に、意図した画像が形成できるようになる。
【０１２８】
また、請求項１６記載の発明では、タブに画像を形成可能な場合に、タブ検知部で検知された搬送直交方向タブ位置と、タブが用紙の先端側にあるか後端側にあるかの入力情報とに基づいて、画像形成タイミングとして画像形成書き出しタイミングが制御されるため、タブ有用紙を用いた場合に、意図した画像が形成できるようになる。
【０１２９】
また、請求項１６記載の発明では、タブに画像を形成可能な場合に、該タブが先端／後端のいずれにあるかの検知結果と、該タブが先端／後端のいずれにあるかの入力情報とに基づいて、画像形成タイミングとして画像形成書き出しタイミングが制御されるため、タブ有用紙を用いた場合に、意図した画像が形成できるようになる。
【０１３０】
また、請求項１６記載の発明では、タブに画像を形成可能な場合に、搬送直交方向タブ位置の検知結果と、該タブが先端／後端のいずれにあるかの検知結果と、該タブが先端／後端のいずれにあるかの入力情報とに基づいて、画像形成タイミングとして画像形成書き出しタイミングが制御されるため、タブ有用紙を用いた場合に、意図した画像が形成できるようになる。
【０１３１】
また、請求項１６記載の発明では、タブに画像を形成可能な場合に、タブ検知部の検知結果と、タブが用紙の先端側にあるか後端側にあるかの入力情報とに基づいて、タブを有する用紙のタブを含めた両面に画像を形成するように、画像形成タイミングとして画像形成書き出しタイミングが制御されるため、タブ有用紙を用いた場合に、意図した画像が形成できるようになる。
【０１３２】
また、請求項１６記載の発明では、タブに画像を形成可能な場合に、タブ検知部で検知された搬送直交方向タブ位置と、タブが用紙の先端側にあるか後端側にあるかの入力情報とに基づいて、タブを有する用紙のタブを含めた両面に画像を形成するように、画像形成タイミングとして画像形成書き出しタイミングが制御されるため、タブ有用紙を用いた場合に、意図した画像が形成できるようになる。
【０１３３】
また、請求項１６記載の発明では、タブに画像を形成可能な場合に、該タブが先端／後端のいずれにあるかの検知結果と、該タブが先端／後端のいずれにあるかの入力情報とに基づいて、タブを有する用紙のタブを含めた両面に画像を形成するように、画像形成タイミングとして画像形成書き出しタイミングが制御されるため、タブ有用紙を用いた場合に、意図した画像が形成できるようになる。
【０１３４】
また、請求項１６記載の発明では、タブに画像を形成可能な場合に、搬送直交方向タブ位置の検知結果と、該タブが先端／後端のいずれにあるかの検知結果と、該タブが先端／後端のいずれにあるかの入力情報とに基づいて、タブを有する用紙のタブを含めた両面に画像を形成するように、画像形成タイミングとして画像形成書き出しタイミングが制御されるため、タブ有用紙を用いた場合に、意図した画像が形成できるようになる。
【０１３５】
（１７）請求項１７記載の発明では、タブに画像を形成可能な場合に、タブ検知部による各種検知結果だけでなく、情報入力部からのタブが用紙の先端側にあるか後端側にあるかの入力情報にも基づいて、各種画像形成タイミングが制御されるため、タブ有用紙を用いた場合に、意図した画像が形成できるようになる。
【０１３６】
（１８）請求項１８記載の発明では、タブに画像を形成可能な場合に、タブタイプ、タブ位置、タブ幅、タブ長さ、タブ分割数、挿入頁、タブ画像形成有無、タブ画像形成内容のうち少なくとも一つを含むタブ検知部による各種検知結果と、情報入力部からのタブが用紙の先端側にあるか後端側にあるかの入力情報とに基づいて、各種画像形成タイミングが制御されるため、多種多様なタブ有用紙を用いて、タブ有用紙のタブ部をも含めて片面あるいは両面の画像形成をする場合に、意図した画像が形成できるようになる。
【０１３７】
（１９）請求項１９記載の発明では、給紙部により給紙された用紙について、画像形成前に複数個の検知部を有するタブ検知部によりタブの位置が検知されるため、確実なタブ位置検知がなされ、適切な制御がなされるようになる。
【０１３８】
（２０）請求項２０記載の発明では、異常状態を報知する報知部を備えており、タブへの画像形成を行う場合に、入力された情報と、検知された検知結果とが一致しない場合には、報知部により異常状態を示す報知がなされる
ため、使用者の使い勝手が向上する。
【０１３９】
（２１）請求項２１記載の発明では、異常状態を報知する報知部を備えており、タブへの画像形成を行う場合に、入力された情報と、検知された検知結果とが不一致の場合には報知部による異常状態を示す報知がなされ、さらに、不一致によりタブへの画像形成ができない場合に画像形成動作停止の制御がなされるため、使用者の使い勝手が向上すると共に、使用者が意図しない画像が形成されることを抑制することができる。
【０１４０】
（２２）請求項２２記載の発明では、給紙された用紙について、タブ検知部の複数個の検知部による検知結果により用紙の傾きが算出され、算出された用紙の傾きに応じて、画像形成部で画像形成すべき画像情報を傾ける補正がなされるため、画像情報の補正により、タブを有する用紙のタブ部に正確な画像形成が可能になり、用紙のタブ以外の部分にも正確な画像形成が可能になる。
【０１４１】
（２３）請求項２３記載の発明では、給紙された用紙について、タブ検知部の複数個の検知部による検知結果により用紙の傾きが算出され、算出された用紙の傾きに応じて、画像形成部で画像形成すべき画像情報を傾け、用紙に画像形成される画像に傾きが生じないように制御されるため、画像情報の補正により、タブを有する用紙のタブ部に傾きのない正確な画像形成が可能になり、用紙のタブ以外の部分にも傾きのない正確な画像形成が可能になる。
【発明を実施するための最良の形態】
【０１４２】
以下、図面を参照して本発明を実施するための最良の形態（以下、実施形態）を詳細に説明する。なお、原稿読み取り部（スキャナ）により複写対象物の内容を画像情報として読み取って複写する機能を備えた画像形成装置（複写装置）であっても、原稿読み取り部（スキャナ）が存在しない画像形成装置であっても、本発明を適用することが可能である。また、ファクシミリ機能を備えた複合機などの画像形成装置であっても、本発明を適用することが可能である。
【０１４３】
〈第１の実施形態〉
まず図２を参照して実施形態の画像形成装置が適用される装置の全体構成の機械的構成を説明する。
【０１４４】
〈画像形成装置の機械的構成および全体動作〉
まず、図２を参照して画像形成装置の機械的構成を説明する。なお、ここでは、原稿の画像を読み取って画像形成する複写機を本実施形態の具体例として用いる。また、ここでは、電子写真方式の複写機としての画像形成装置を具体例として用いる。
【０１４５】
この図２において、３０は蓄積しておいた用紙を給紙するための給紙部、４０は画像データに応じた露光用光ビームを生成する画像書き込み部、５０は画像データを静電方式により記録媒体（一般に記録紙あるいは転写紙と言われるが、本願明細書では、用紙と言うことにする）ｐ上に記録する画像形成部、６０は用紙の搬送を行う搬送駆動部、７０は仕分け等の後処理を行う後処理部である。
【０１４６】
また、８１は主走査方向（図２の紙面垂直方向であり、搬送方向と直交する方向）に複数の受発光素子が配列されて構成され、タブ位置やタブ幅やタブタイプやタブ長さなどを検知するためのタブ検知センサである。
【０１４７】
ここで、画像形成の命令に従い、用紙ｐが積載されている給紙トレイ３０ａ〜３０ｃのいずれかから、第一給紙ローラ３１ａ〜３１ｃにより用紙ｐが繰り出され、画像形成部５０に給送される。
【０１４８】
なお、この実施形態では、インターシート機能において異なる給紙トレイからの給紙を可能にするため、蓄積する複数の給紙トレイが設けられているものとする。そして、これら給紙トレイ３０ａ〜３０ｃと、第一給紙ローラ３１ａ〜３１ｃとにより、用紙ｐを給紙する給紙部を構成している。なお、ここでは、複数の給紙トレイとして３段の場合を例にしているが、これに限定されるものではない。
【０１４９】
画像形成部５０に給送される用紙ｐは、その入口付近の第二給紙ローラ（レジストローラ）３２により用紙間隔が一定（Ｔｉ）になるように感光体ドラム５１でのトナー像の形成と同期がとられた後、像担持体となる感光体ドラム５１に近接する。
【０１５０】
また、その後、先端検知センサ８２で用紙ｐの先端が検知され、この検知結果に応じて感光体ドラム５１での後述するレーザ光の照射タイミングが決定される。
記録画像処理部から画像書き込み部４０に画像データが入力され、先端検知センサ８２での用紙ｐの検知結果に従って、画像書込み部４０内のレーザダイオードから画像データに応じたレーザ光が感光体ドラム５１上に照射され、静電潜像が形成される。この静電潜像が現像部５３で現像されることで、感光体ドラム５１上にトナー像が形成される。
【０１５１】
このトナー像は感光体ドラム５１の下部の転写部５４により用紙ｐに転写される。そして、感光体ドラム５１に圧着されている用紙ｐは分離部５５により分離される。感光体ドラム５１から分離された用紙ｐは搬送機構を介して定着部５９に入り、トナー像が熱と圧力とにより定着される。このようにして、用紙ｐに画像が形成される。
【０１５２】
なお、必要に応じて、トナー像が定着された用紙ｐは、ガイド６１を介して下方に搬送され、反転搬送部６３に入る。次に、反転搬送部６３に入っている用紙ｐは、反転ローラにより再度繰り出され、反転搬送路６４を経由して再度画像形成部５０に送られる。前記原稿ｄの片面の画像形成が終了した画像形成部５０では、感光体ドラム５１に付着したトナーがクリーニング部５６で除去され、続く帯電部５２により帯電させられ、次の画像形成に備えている。
【０１５３】
この状態で用紙ｐのもう一方の面（未だ画像形成されていない面）が画像形成部５０に搬入され、画像が形成される。分離部５５で感光体ドラム５１から分離された用紙ｐは搬送機構５８を介して再度定着部５９に入って定着される。
【０１５４】
このようにして、裏面と表面との画像形成が完了した用紙ｐ、または、一方の面の画像形成が完了した用紙ｐは、後処理部７０に送られる。後処理部７０では、指定トレイ７１と指定外トレイ７２とが設けられており、タブ検知８１センサの検知結果に応じて、いずれかのトレイに仕分けされた排出される。
【０１５５】
従って、第二給紙ローラ３２以降で用紙を搬送する各種搬送ローラや搬送ベルトなどが搬送駆動部６０を構成しており、本実施形態ではこの搬送駆動部６０での搬送に関して所定の制御がなされている。
【０１５６】
なお、この実施形態では、タブを有しない用紙（以下、この実施形態において「タブ無用紙」）およびタブを有する用紙（以下、この実施形態において「タブ有用紙」）の双方を給紙可能な給紙部３０にて給紙を行い、給紙された用紙（タブ無用紙もしくはタブ有用紙）について画像形成前転写前に、タブ有用紙であるか否か、およびタブ有用紙のタブ位置およびタブ方向などをタブ検知センサ８１で検知し、タブ有用紙のタブ部を含めて画像形成可能な画像形成部５０によって画像形成を行う。
【０１５７】
なお、タブ検知センサ８１は画像形成前に検知できることが望ましく、両面画像形成の際にはそれぞれの面で検知できることが更に望ましい。よって、図２に示すように、裏面の画像形成の際にも通過する経路上にタブ検知センサ８１が配置されていることが望ましい。
【０１５８】
ただし、画像形成前に検知できれば良いので、トレイ上の静止時、トレイ上の移動時、あるいはトレイからの給紙直後のいずれかの位置で、タブについての検知ができる構成であってもよい。
【０１５９】
また、後処理部７０では、タブ検知８１センサの検知結果に応じて、いずれかのトレイに仕分けされた排出されることにより、入力されたタブ有紙のタブに関する情報とタブ検知センサ８１の検知結果とが不一致の場合には、所定の正常時のトレイ以外のトレイに排出することができ、これにより、使用者の混乱を抑制することができる。
【０１６０】
〈画像形成装置の電気的構成〉
図１は本発明の第１の実施形態の画像形成装置内の電気的な詳細構成を機能別に示す機能ブロック図である。
【０１６１】
１００はタブ有用紙を含む各種用紙に対して画像形成して出力する各種の画像形成装置である。
なお、この画像形成装置１００は、画像形成装置全体の制御に加えてタブ有用紙のための制御を行う制御部１０１と、各種操作や各種情報の入力と画像形成装置の状態表示とを行う操作表示部１１０と、通常の画像処理に加えてタブ有用紙のため画像処理を実行する画像処理部１２０と、画像処理部１２０での画像処理の際の画像データや各種データが展開あるいは保持される画像メモリ１３０と、画像データを用紙上に形成するプリントエンジン１４０と、を備えている。
【０１６２】
また、必要に応じて、画像形成された用紙を仕分けする後処理部７０と、を備えることが可能である。なお、制御部１０１が本実施形態における画像形成の制御を行う制御部を構成している。
【０１６３】
また、操作表示部１１０内には、タブ有用紙のタブに関する情報（タブタイプ、タブ位置（搬送方向タブ位置、搬送直交方向タブ位置）、タブ幅、タブ長さ、タブ分割数、タブ方向（タブが搬送方向先端にあるか搬送方向後端にあるか、タブが搬送方向と直交する側に存在するか）、タブが搬送方向先端（上流）側の場合に用紙の搬送方向先端、タブが搬送方向後端（下流）側の場合に用紙の搬送方向後端、挿入頁、タブ画像形成有無（形成面）、タブ画像形成内容、を含む各種タブに関する情報）が入力される情報入力部としての操作部１１１と、各種情報や各種状態を表示する表示部１１２と、が備えられている。
【０１６４】
また、表示部１１２や図示されていないスピーカやブザー、または警告用ランプなどが、アラーム表示、アラーム鳴音、アラームメッセージ音声の出力、またはこれらの併用によって報知を行う報知部を構成している。
【０１６５】
また、プリントエンジン１４０内には、画像処理部１２０で処理された画像データに応じて書き込みを行う書き込み部４０（図２参照）と、タブ検知部としてのタブ検知センサ８１（図２参照）と、用紙の搬送タイミングと画像形成タイミングとを同期させるために搬送時の用紙の先端を検知する先端検知センサ８２（図２参照）と、各種給紙や搬送などの駆動部１４１と、とが備えられている。
【０１６６】
なお、タブ検知センサ８１は、給紙された用紙について画像形成前に、タブ有用紙であるか否か、タブ有用紙の場合には、タブタイプ、タブ位置（搬送方向タブ位置、搬送直交方向タブ位置）、タブ幅、タブ長さ、タブ分割数、タブ方向（タブが搬送方向先端にあるか搬送方向後端にあるか、タブが搬送方向と直交する側に存在するか）、タブが搬送方向先端（上流）側の場合に用紙の搬送方向先端、タブが搬送方向後端（下流）側の場合に用紙の搬送方向後端、を検知する。
【０１６７】
また、この画像形成装置１００は、複写機、ファクシミリ装置、プリンタなどの各種の装置が該当する。また、プリントエンジン１４０は、レーザビームを用いる電子写真方式のもののほか、ＬＥＤプリントヘッドを用いるものや、インクジェット方式のものや、感熱方式のもの、あるいは、昇華型のものであってもよい。
【０１６８】
〈本実施形態の動作説明〉
以上のような画像形成装置において、図３を参照して動作説明を行う。なお、この図３のフローチャートは、制御部１０１で動作している画像形成制御プログラム中でコールされるものである。
【０１６９】
なお、以下の実施形態の動作説明では、制御部１０１と画像形成制御プログラム（コンピュータプログラム）のサブルーチンによる制御や動作を、単に制御部１０１の制御という言い方で説明する。
【０１７０】
まず、操作部１１１からユーザにより、タブ有用紙の使用が選択されたとする（図３Ｓ１）。なお、通常の場合タブ有用紙はインターシートとして使用される。すなわち、操作部１１１から、「応用機能」が選択され、さらに「インターシート」が選択され、このインターシートとして「タブ有用紙」が選択されたものとする。
【０１７１】
ここで、制御部１０１は、タブ有用紙についての各種情報の入力を受け付ける画面を表示部１１２に表示し、ユーザから、「タブ有用紙のタブに関する情報」として、タブタイプ、タブ位置（搬送方向タブ位置、搬送直交方向タブ位置）、タブ幅、タブ長さ、タブ分割数、タブ方向（タブが搬送方向先端にあるか搬送方向後端にあるか、タブが搬送方向と直交する側に存在するか）、タブが搬送方向先端（上流）側の場合に用紙の搬送方向先端、タブが搬送方向後端（下流）側の場合に用紙の搬送方向後端、挿入頁、タブ画像形成有無（形成面（片面・表面／片面・裏面／両面））、を含む各種タブに関する情報についての入力を受け付ける（図３Ｓ２）。
【０１７２】
なお、制御部１０１は、タブ有用紙についての各種情報（タブタイプ、タブ位置（搬送方向タブ位置、搬送直交方向タブ位置）、タブ幅、タブ長さ、タブ分割数、タブ方向（タブが搬送方向先端にあるか搬送方向後端にあるか、タブが搬送方向と直交する側に存在するか）、タブが搬送方向先端（上流）側の場合に用紙の搬送方向先端、タブが搬送方向後端（下流）側の場合に用紙の搬送方向後端、挿入頁、タブ画像形成有無（形成面（片面・表面／片面・裏面／両面））、を含む各種タブに関する情報）を、図示されないネットワークなどの通信手段や接続手段、あるいは、メモリカードなどを介して入手するようにしてもよい。
【０１７３】
また、ユーザから操作部１１１に、タブ部に画像形成する旨の指示が入力された場合には（図３Ｓ３でＹ）、制御部１０１は、タブ部に画像形成すべき文字や記号などの入力を操作部１１１を介して受け付ける（図３Ｓ４）。
【０１７４】
なお、タブ部に画像形成すべき文字や記号などを、画像データと共に、あるいは、画像データとは別に、外部の機器から電子データとして受け取るようにすることも可能である。
【０１７５】
なお、タブ部画像形成指定が片面であれば、タブ部片面についての文字・記号列の入力を受け付け、タブ部画像形成指定が両面であれば、タブ部両面それぞれについての文字・記号列の入力を受け付ける。
【０１７６】
また、以上のタブ部についての画像形成すべき文字・記号列の入力を受け付けた場合に、制御部１０１は、タブ部に画像形成される状態をプレビュー画面として作成し、表示部１１２に表示する（図３Ｓ５）。
【０１７７】
これにより、多種多様なタブ有用紙を用いた場合でも、複雑な設定操作をすることなく、タブ有用紙のタブ部をも含めて片面あるいは両面の画像形成の状態を事前に把握して、確実な状態で可能になる。また、これにより、スキャナ読み込みだけでなく、操作部から入力した文字や記号などについても、確実な状態でタブ部への画像形成が可能になる。
【０１７８】
このプレビュー画面を確認したユーザが何らかの理由で設定をやり直したい場合（図３Ｓ６でＮ）、制御部１０１は処理を再度タブ情報入力（図３Ｓ２）に戻し、タブ有用紙についての各種設定やタブ部に形成すべき文字・記号列の入力をやりなおす。
【０１７９】
このプレビュー画面を確認したユーザが了承した場合（図３Ｓ６でＹ）には、制御部１０１は、コピースタート待ち受け状態で待機する（図３Ｓ７）。この状態で操作部１１１のコピースタートキーが押下されると、制御部１０１は、供給されている画像データについて設定されている条件で画像形成を開始する（図３Ｓ７でＹ）。
【０１８０】
ここで、制御部１０１は、給紙部３０ａ〜３０ｃから用紙を給紙する（図３Ｓ８）。なお、タブ無用紙に画像形成すべき頁位置のタイミングでは、タブ無用紙が蓄積された給紙部から給紙を行う。また、タブ有用紙に画像形成すべき頁位置のタイミングでは、タブ有用紙が蓄積された給紙部から給紙を行う。
【０１８１】
なお、この実施形態の説明においては、タブ無用紙を給紙した場合の通常の動作は周知であるので省略することにし、特にタブ有用紙を給紙した場合の動作について詳細に説明する。
【０１８２】
給紙部３０から給紙された用紙について、画像形成前の位置に配置されたタブ検知センサ８１にて、タブ有用紙であるか否か、および、タブ有用紙のタブ検知を実行する（図３Ｓ９）。なお、タブ検知の具体例については後述する。
【０１８３】
図４はタブ検知センサ８１の様子を模式的に示す説明図である。ここでは、タブ検知センサ８１は、Ａ〜Ｊまでの複数個のセンサによって構成されている。なお、実際には更に多数のセンサによって構成されていてもよい。ここでは、タブ有用紙のタブ部が先端（上流）側にある場合（図４（ａ））、タブ有用紙のタブ部が後端（下流）側にある場合（図４（ｂ））を示している。
【０１８４】
この複数個のセンサを通過する際に、タブ部とそれ以外の部分（非タブ部）との通過タイミングの差により、図５（ａ）〜（ｂ）、（ｃ）〜（ｄ）のようにして、タブ長さ、タブ幅、タブ位置（図１６および図１７参照）などや、タブ方向（タブ部が上流側か、下流側か）を検知することができる。この図５で、搬送方向が紙面左から右に向かう場合はタブ部が先端にある場合に相当し、搬送方向が紙面右から左に向かう場合はタブ部が後端にある場合に相当している。
【０１８５】
また、給紙時に用紙の搬送方向先端位置を検知して像担持体への露光を開始する制御を行う際に、専用の搬送方向の先端検知センサ８２を用いる（図６（ａ））代わりに、タブ検知センサ８１の検知結果を用いて露光開始の制御を実行する（図６（ｂ））ことが可能である。このように構成することで、専用の搬送方向の先端検知センサ８２が不要になり、また、マイコンなどのポートを節約できる利点がある。
【０１８６】
なお、以上の図４，図５，図６は搬送方向と直交する方向にタブが存在する場合の具体例であったが、図７に示すように、搬送方向と並行する方向（搬送方向）にタブが存在する場合でも本実施形態を適用可能である。すなわち、用紙を長手送り（Ｒ送り）する場合である。
【０１８７】
たとえば、図７（ａ）のように搬送方向右側にタブが存在する場合、あるいは、図７（ｂ）のように搬送方向左側にタブが存在する場合、が考えられる。このような場合、たとえば、図７（ｂ）の状態でのタブ検知センサ８１（タブ検知センサ８１Ａ〜タブ検知センサ８１Ｎ＋１）の検知結果により、タブ位置範囲に相当する部分が用紙の右側に発生するか、左側に発生するか、により左右位置を判断する。また、タブ位置、タブ長さ（タブ位置範囲）については、信号の領域をタイマにより計測して算出する。
【０１８８】
ここで、再び図３のフローチャートに戻り、動作説明を続行する。タブ有用紙／タブ検知（図３Ｓ９）の結果、タブ無用紙であると判明した場合（図３Ｓ１１で「タブ無用紙」）は、通常の搬送制御を行う（図３Ｓ１３）。ここで、通常の搬送制御とは、用紙の搬送方向先端位置と次の用紙の搬送方向先端位置とを一定間隔（Ｔｉ）に保つため、第２給紙ローラ３２の駆動を制御する搬送制御である。
【０１８９】
また、タブ有用紙／タブ検知（図３Ｓ９）の後、画像書き出しタイミングを算出し（図３Ｓ１０）、タブ有用紙／タブ検知（図３Ｓ９）によってタブ有用紙であると判明した場合（図３Ｓ１１で「タブ有用紙」）は、本実施形態特有の搬送制御を行う（図３Ｓ１２）。なお、画像書き出しタイミングを算出することの具体的説明は、第二の実施形態の内部で説明する。
【０１９０】
ここで、タブが用紙の後端にある場合には、タブ有用紙の後端と次の用紙の先端との間隔が一定になるような搬送制御が該当する。また、タブが用紙の先端にある場合には、タブ有用紙に先行する用紙の後端とタブ有用紙のタブの先端との間隔が一定になるような搬送制御が該当する。
【０１９１】
図１２は、搬送される二枚の用紙のタブの搬送方向位置と、用紙間隔の制御の概念について、（ａ）〜（ｈ）の具体例を用いて説明するための説明図である。
この図１２において、＃１（用紙＃１）は先に搬送されている用紙（先行する用紙）、＃２（用紙＃２）は用紙＃１の次に搬送されている用紙（後続する用紙）、Ｔｄは用紙間隔、Ｔｉは搬送されている二枚の用紙ともにタブ無用紙である場合の用紙間隔、Δｔｓは用紙＃２の搬送方向先端のタブの搬送方向の長さ、Δｔｅは用紙＃１の搬送方向後端のタブの搬送方向の長さ、を表している。
【０１９２】
後述するように、図３Ｓ１０により用紙＃２がタブ無用紙と判断され、かつ、用紙＃１もタブ無用紙と判断された場合には、図１２（ａ）に示すように、用紙＃１と用紙＃２との間隔ＴｄがＴｉとなるように搬送制御する。
【０１９３】
なお、図３Ｓ１０により用紙＃２がタブ無用紙と判断され、かつ、用紙＃１のタブが搬送方向先端に存在する場合、図１２（ｂ）に示すように、用紙＃１と用紙＃２との間隔ＴｄがＴｉとなるように搬送制御する。
【０１９４】
また、図３Ｓ１０により用紙＃２がタブ有用紙と判断され、かつ、用紙＃２のタブが搬送方向後端に存在しており、さらに、用紙＃１のタブが搬送方向先端に存在する場合、図１２（ｃ）に示すように、用紙＃１と用紙＃２との間隔ＴｄがＴｉとなるように搬送制御する。
【０１９５】
また、図３Ｓ１０により用紙＃２がタブ有用紙と判断され、かつ、用紙＃２のタブが搬送方向先端に存在しており、さらに、用紙＃１がタブ無用紙もしくはタブが搬送方向先端に存在する場合、図１２（ｄ）や図１２（ｅ）に示すように、用紙＃１と用紙＃２との間隔ＴｄがＴｉ＋Δｔｓとなるように搬送制御する。
【０１９６】
また、図３Ｓ１０により用紙＃２がタブ無用紙と判断され、かつ、用紙＃１のタブが搬送方向後端に存在する場合、図１２（ｆ）に示すように、用紙＃１と用紙＃２との間隔ＴｄがＴｉ＋Δｔｅとなるように搬送制御する。
【０１９７】
また、図３Ｓ１０により用紙＃２がタブ有用紙と判断され、かつ、用紙＃２のタブが搬送方向後端に存在しており、さらに、用紙＃１のタブが搬送方向後端に存在する場合、図１２（ｇ）に示すように、用紙＃１と用紙＃２との間隔ＴｄがＴｉ＋Δｔｅとなるように搬送制御する。
【０１９８】
また、図３Ｓ１０により用紙＃２がタブ有用紙と判断され、かつ、用紙＃２のタブが搬送方向先端に存在しており、さらに、用紙＃１のタブが搬送方向後端に存在する場合、図１２（ｈ）に示すように、用紙＃１と用紙＃２との間隔ＴｄがＴｉ＋Δｔｓ＋Δｔｅとなるように搬送制御する。
【０１９９】
ここで、図３Ｓ１２で行われる搬送制御での紙間補正データ算出処理について、その詳細を図１３のフローチャートにより説明する。
図１３のフローチャートにおいて、まず、用紙＃２の先端にタブが有るか否かが判断される（Ｓ１２−１）。
【０２００】
用紙＃２の先端にタブが有ると判断された場合（Ｓ１２−１でＹ）、タブ検知センサ８１により用紙＃２のタブの搬送方向長さが計測され、計測結果を先端タブサイズｄｔ１とする（Ｓ１２−２）。用紙＃２の先端にタブが無いと判断された場合（Ｓ１２−１でＮ）、先端タブサイズｄｔ１を０とする（Ｓ１２−３）。
【０２０１】
そして、先端タブサイズデータΔｔｓとしてｄｔ１を記憶する（Ｓ１２−４）。さらに、記憶（Ｓ１２−４）したΔｔｓと先に搬送されている用紙＃１の後端のタブの搬送方向長さである後端タブサイズデータΔｔｅを呼び出し、用紙間隔データＴｄ＝Ｔｉ＋Δｔｓ＋Δｔｅを計算する（Ｓ１２−６）。
【０２０２】
つぎに、用紙＃２の後端にタブが有るかが判断され（Ｓ１２−７）、用紙＃２の後端にタブが有ると判断された場合（Ｓ１２−７でＹ）、タブ検知センサ８１により用紙＃２のタブの搬送方向長さが計測され、計測結果を後端タブサイズｄｔ２とする（Ｓ１２−８）。用紙＃２の後端にタブが無いと判断された場合（Ｓ１２−７でＮ）、後端タブサイズｄｔ２を０とする（Ｓ１２−９）。そして、後端タブサイズデータΔｔｅとしてｄｔ２を記憶する（Ｓ１２−１０）。
【０２０３】
なお、上述した先端タブサイズｄｔ１の計測（Ｓ１２−２）と後端タブサイズｄｔ２の計測（Ｓ１２−８）において、タブ検知センサ８１により用紙のタブサイズをリアルタイムに検出して紙間を補正する場合の実施形態を示したが、各タブサイズのデータ（ｄｔ１、ｄｔ２）を情報入力部（操作部１１１）から入力して記憶手段（メモリやレジスタ）に記憶されたデータを用いることにより実現してもよい。
【０２０４】
その場合、Ｓ１２−２では「先端タブサイズｄｔ１をメモリから読み出し」となり、Ｓ１２−８では「後端タブサイズｄｔ２をメモリから読み出し」となる。
このような搬送制御を行うことで、生産性向上のために通紙間隔を狭めた搬送を行う場合にも、タブ有用紙とその前後の用紙とが衝突することがなく、通紙間隔に余分な余裕を持たせる必要がなくなる。
【０２０５】
なお、タブ無用紙であると判定（図３Ｓ１１）され、通常搬送制御（図３Ｓ１３）を行ったタブ無用紙については、通常の画像形成を行い（図３Ｓ１６）、指定トレイ７１に排紙する（図３Ｓ１９）。
【０２０６】
また、タブ有用紙／タブ検知（図３Ｓ９）の結果、給紙部３０から給紙された用紙が指定されたタブ有用紙（指定されたタブ位置・タブ方向のタブ有用紙）であると判明した場合（図３Ｓ１４でＹ）、さらにタブ部に画像形成する設定がなされているか否かを調べる（図３Ｓ１５）。
【０２０７】
タブ部に画像形成する設定がなされている場合（図３Ｓ１５でＹ）、タブ部を含めてタブ有用紙全体に画像形成を実行し（図３Ｓ１７）、指定トレイ７１に排紙する（図３Ｓ１９）。また、タブ部に画像形成する設定がなされていない場合（図３Ｓ１５でＮ）、タブ有用紙のタブ部以外の領域に画像形成を実行し（図３Ｓ１８）、指定トレイ７１に排紙する（図３Ｓ１９）。
【０２０８】
なお、以上の給紙開始（図３Ｓ８），タブ有用紙／タブ検知（図３Ｓ９），搬送制御（図３Ｓ１３，Ｓ１４），画像形成（図３Ｓ１６，Ｓ１７，Ｓ１８），排紙（図３Ｓ１９），などの各動作を最終頁に至るまで繰り返す（図３Ｓ２０〜Ｓ８）。
【０２０９】
また、タブ有用紙／タブ検知（図３Ｓ９）の結果、給紙部３０から給紙された用紙が指定されたタブ有用紙（指定されたタブ位置・タブ方向のタブ有用紙）でないと判明した場合（図３Ｓ１４でＮ）、制御部１０１は、指定タブ有用紙と実際に給紙されたタブ有用紙とが不一致である旨のアラーム報知（図３Ｓ２１）し、画像形成装置の動作を一時停止させる（図３Ｓ２２）。
【０２１０】
ここで、不一致警告のアラーム報知とは、制御部１０１から表示部１１２へのアラーム表示、もしくは、図示されていないブザーによる鳴音やメッセージ音声の出力、またはこれらの併用などが考えられる。
【０２１１】
この結果、多種多様なタブ有用紙を用いた場合に、指定外のタブ有用紙が給紙されたことをユーザが遅滞なく明確に知ることができるようになる。この結果、多種多様なタブ有用紙を用いた場合に、給紙カセットへのタブ有用紙の蓄積は正しく、操作部１１１での設定や外部からの指示情報の入力が間違ったような場合であっても、その状態をユーザが遅滞なく明確に知ることができるようになる。
【０２１２】
なお、この実施形態では、操作部１１１に入力された画像形成内容を含む各種情報とタブ検知センサ８１の検知結果とを制御部１０１が参照し、画像処理部１２０が画像処理を施して、書き込み部４０をタブ有用紙のタブ部にも画像形成を行うようにしているため、また、タブ部への画像形成状態を事前に表示部１１２に表示するようにしているため、確実な状態でタブ部を含めた画像形成が可能になっている。
【０２１３】
なお、以上の動作説明でのタブ検知と、このタブ検知に応じた制御部１０１による用紙の搬送制御としては、以下の（ａ）〜（ｐ）に示すいずれかのように実行することが望ましい。
【０２１４】
（ａ）給紙された用紙について給紙後に、タブ検知センサ８１によりタブの給紙方向端部を検知する。この検知結果に基づいて、用紙の搬送方向後端と次の用紙の搬送方向先端との間隔が一定になるように、用紙の搬送を制御する。
【０２１５】
（ｂ）給紙された用紙について給紙後に、タブ検知センサ８１によりタブの給紙方向端部を検知する。さらに、タブ検知センサ８１により、該タブが搬送方向先端／搬送方向後端のいずれにあるかを検知する。これらの検知結果に基づいて、用紙の搬送方向後端と次の用紙の搬送方向先端との間隔が一定になるように、用紙の搬送を制御する。
【０２１６】
（ｃ）給紙された用紙について給紙後に、タブ検知センサ８１によりタブの給紙方向端部を検知する。さらに、タブ検知センサ８１により、用紙の搬送方向と直交する方向でのタブの位置を検知する。これらの検知結果に基づいて、用紙の搬送方向後端と次の用紙の搬送方向先端との間隔が一定になるように、用紙の搬送を制御する。
【０２１７】
（ｄ）給紙された用紙について給紙後に、タブ検知センサ８１によりタブの給紙方向端部を検知する。また、タブ検知センサ８１により、該タブが搬送方向先端／搬送方向後端のいずれにあるかを検知する。さらに、タブ検知センサ８１により、用紙の搬送方向と直交する方向でのタブの位置を検知する。これらの検知結果に基づいて、用紙の搬送方向後端と次の用紙の搬送方向先端との間隔が一定になるように、用紙の搬送を制御する。
【０２１８】
（ｅ）給紙された用紙について給紙後に、タブ検知センサ８１によりタブの給紙方向端部を検知する。この検知結果に基づいて、用紙の搬送方向後端と次の用紙の搬送方向先端との間隔が一定になるように用紙の搬送を制御し、画像形成部によってタブに画像を形成する。
【０２１９】
（ｆ）給紙された用紙について給紙後に、タブ検知センサ８１によりタブの給紙方向端部を検知する。さらに、タブ検知センサ８１により、該タブが搬送方向先端／搬送方向後端のいずれにあるかを検知する。これらの検知結果に基づいて、用紙の搬送方向後端と次の用紙の搬送方向先端との間隔が一定になるように用紙の搬送を制御し、画像形成部によってタブに画像を形成する。
【０２２０】
（ｇ）給紙された用紙について給紙後に、タブ検知センサ８１によりタブの給紙方向端部を検知する。さらに、タブ検知センサ８１により、用紙の搬送方向と直交する方向でのタブの位置を検知する。これらの検知結果に基づいて、用紙の搬送方向後端と次の用紙の搬送方向先端との間隔が一定になるように用紙の搬送を制御し、画像形成部によってタブに画像を形成する。
【０２２１】
（ｈ）給紙された用紙について給紙後に、タブ検知センサ８１によりタブの給紙方向端部を検知する。また、タブ検知センサ８１により、該タブが搬送方向先端／搬送方向後端のいずれにあるかを検知する。さらに、タブ検知センサ８１により、用紙の搬送方向と直交する方向でのタブの位置を検知する。これらの検知結果に基づいて、用紙の搬送方向後端と次の用紙の搬送方向先端との間隔が一定になるように、用紙の搬送を制御し、画像形成部によってタブに画像を形成する。
【０２２２】
（ｉ）給紙された用紙について給紙後に、タブ検知センサ８１によりタブの給紙方向端部を検知する。情報入力部（操作部１１１）にタブに関する情報が入力され、検知結果と入力情報とに基づいて、用紙の搬送方向後端と次の用紙の搬送方向先端との間隔が一定になるように用紙の搬送を制御する。
【０２２３】
（ｊ）給紙された用紙について給紙後に、タブ検知センサ８１によりタブの給紙方向端部を検知する。さらに、タブ検知センサ８１により、該タブが搬送方向先端／搬送方向後端のいずれにあるかを検知する。情報入力部（操作部１１１）にタブに関する情報が入力され、検知結果と入力情報とに基づいて、用紙の搬送方向後端と次の用紙の搬送方向先端との間隔が一定になるように用紙の搬送を制御する。
【０２２４】
（ｋ）給紙された用紙について給紙後に、タブ検知センサ８１によりタブの給紙方向端部を検知する。さらに、タブ検知センサ８１により、用紙の搬送方向と直交する方向でのタブの位置を検知する。情報入力部（操作部１１１）にタブに関する情報が入力され、検知結果と入力情報とに基づいて、用紙の搬送方向後端と次の用紙の搬送方向先端との間隔が一定になるように用紙の搬送を制御する。
【０２２５】
（ｌ）給紙された用紙について給紙後に、タブ検知センサ８１によりタブの給紙方向端部を検知する。また、タブ検知センサ８１により、該タブが搬送方向先端／搬送方向後端のいずれにあるかを検知する。さらに、タブ検知センサ８１により、用紙の搬送方向と直交する方向でのタブの位置を検知する。情報入力部（操作部１１１）にタブに関する情報が入力され、検知結果と入力情報とに基づいて、用紙の搬送方向後端と次の用紙の搬送方向先端との間隔が一定になるように用紙の搬送を制御する。
【０２２６】
（ｍ）給紙された用紙について給紙後に、タブ検知センサ８１によりタブの給紙方向端部を検知する。情報入力部（操作部１１１）にタブに関する情報が入力され、検知結果と入力情報とに基づいて、用紙の搬送方向後端と次の用紙の搬送方向先端との間隔が一定になるように用紙の搬送を制御し、画像形成部によってタブに画像を形成する。
【０２２７】
（ｎ）給紙された用紙について給紙後に、タブ検知センサ８１によりタブの給紙方向端部を検知する。さらに、タブ検知センサ８１により、該タブが搬送方向先端／搬送方向後端のいずれにあるかを検知する。情報入力部（操作部１１１）にタブに関する情報が入力され、検知結果と入力情報とに基づいて、用紙の搬送方向後端と次の用紙の搬送方向先端との間隔が一定になるように用紙の搬送を制御し、画像形成部によってタブに画像を形成する。
【０２２８】
（ｏ）給紙された用紙について給紙後に、タブ検知センサ８１によりタブの給紙方向端部を検知する。さらに、タブ検知センサ８１により、用紙の搬送方向と直交する方向でのタブの位置を検知する。情報入力部（操作部１１１）にタブに関する情報が入力され、検知結果と入力情報とに基づいて、用紙の搬送方向後端と次の用紙の搬送方向先端との間隔が一定になるように用紙の搬送を制御し、画像形成部によってタブに画像を形成する。
【０２２９】
（ｐ）給紙された用紙について給紙後に、タブ検知センサ８１によりタブの給紙方向端部を検知する。また、タブ検知センサ８１により、該タブが搬送方向先端／搬送方向後端のいずれにあるかを検知する。さらに、タブ検知センサ８１により、用紙の搬送方向と直交する方向でのタブの位置を検知する。情報入力部（操作部１１１）にタブに関する情報が入力され、検知結果と入力情報とに基づいて、用紙の搬送方向後端と次の用紙の搬送方向先端との間隔が一定になるように、用紙の搬送を制御し、画像形成部によってタブに画像を形成する。
【０２３０】
なお、以上の動作説明でのタブに関する情報入力やタブ検知と、この情報入力やタブ検知に応じた画像形成動作の制御としては、以下の（Ａ）〜（Ｌ）のいずれかのように実行することが望ましい。
【０２３１】
（Ａ）操作部１１１に入力されたタブに関する情報と、タブ検知センサ８１で検知されたタブ位置とが一致しない場合には、画像形成動作を停止させるように制御する。
（Ｂ）操作部１１１に入力されたタブに関する情報と、給紙部によって給紙された用紙についてタブ検知センサ８１で検知されたタブ位置とが一致しない場合には、画像形成動作を停止させるように制御する。
【０２３２】
（Ｃ）操作部１１１に入力されたタブに関する情報と、画像形成前に給紙部によって給紙された用紙についてタブ検知センサ８１で検知されたタブ位置とが一致しない場合には、画像形成動作を停止させるように制御する。
【０２３３】
（Ｄ）操作部１１１に入力されたタブに関する情報と、両面画像形成の各面で画像形成前に給紙部によって給紙された用紙についてタブ検知センサ８１で検知されたタブ位置とが一致しない場合には、画像形成動作を停止させるように制御する。
【０２３４】
（Ｅ）操作部１１１に入力されたタブに関する情報と、タブ検知センサ８１で検知された搬送直交方向のタブ位置とが一致しない場合には、画像形成動作を停止させるように制御する。
【０２３５】
（Ｆ）操作部１１１に入力されたタブに関する情報と、給紙部によって給紙された用紙についてタブ検知センサ８１で検知された搬送直交方向タブ位置とが一致しない場合には、画像形成動作を停止させるように制御する。
【０２３６】
（Ｇ）操作部１１１に入力されたタブに関する情報と、画像形成前に給紙部によって給紙された用紙についてタブ検知センサ８１で検知された搬送直交方向タブ位置とが一致しない場合には、画像形成動作を停止させるように制御する。
【０２３７】
（Ｈ）操作部１１１に入力されたタブに関する情報と、両面画像形成の各面で画像形成前に給紙部によって給紙された用紙についてタブ検知センサ８１で検知された搬送直交方向タブ位置とが一致しない場合には、画像形成動作を停止させるように制御する。
【０２３８】
（Ｉ）操作部１１１に入力されたタブに関する情報と、タブ検知センサ８１で検知された搬送方向タブ位置とが一致しない場合には、画像形成動作を停止させるように制御する。
【０２３９】
（Ｊ）操作部１１１に入力されたタブに関する情報と、給紙部によって給紙された用紙についてタブ検知センサ８１で検知された搬送方向タブ位置とが一致しない場合には、画像形成動作を停止させるように制御する。
【０２４０】
（Ｋ）操作部１１１に入力されたタブに関する情報と、画像形成前に給紙部によって給紙された用紙についてタブ検知センサ８１で検知された搬送方向タブ位置とが一致しない場合には、画像形成動作を停止させるように制御する。
【０２４１】
（Ｌ）操作部１１１に入力されたタブに関する情報と、両面画像形成の各面で画像形成前に給紙部によって給紙された用紙についてタブ検知センサ８１で検知された搬送方向タブ位置とが一致しない場合には、画像形成動作を停止させるように制御する。
【０２４２】
以上のような構成と動作とにより、多種多様なタブ有用紙を用いて、複雑な設定操作をすることなく、タブ有用紙のタブ部をも含めて片面あるいは両面の画像形成が可能で、所望のタブ位置のタブ有用紙を所望の頁位置に挿入することが可能な画像形成装置を実現することができる。
【０２４３】
また、以上のような構成と動作とにより、多種多様なタブ有用紙を用いて、複雑な設定操作をすることなく、タブ有用紙のタブ部をも含めて片面あるいは両面の画像形成をする場合に、生産性を最大限に活かしつつ画像形成が可能になる。
【０２４４】
〈第二の実施形態〉
図８は本願発明の第２の実施形態の動作説明のための説明図である。また、図９は本発明の第２の実施形態の動作説明のためのフローチャートであり、基本的には図３のフローチャートと共通した動作を示している。なお、共通部分についての重複した説明は省略し、差異部分のみ説明する。
【０２４５】
ここで、制御部１０１は、タブ検知（図９Ｓ９）の結果、給紙部３０から給紙されたタブ有用紙が、図８（ａ）のように傾いていることを、図８（ｂ）のタブ検知センサ８１の検知結果から検知することができる。
【０２４６】
同様に、制御部１０１は、タブ検知（図９Ｓ９）の結果、給紙部３０から給紙されたタブ無用紙が、図８（ｃ）のように傾いていることを、図８（ｄ）のタブ検知センサ８１の検知結果から検知することができる。
【０２４７】
このように、制御部１０１は、タブ検知センサ８１でのタブ位置とサイズの検知結果から画像書き出しタイミングについての補正演算処理を行い（図９Ｓ１０Ｓ）、つぎのステップでタブ検知センサ８１の用紙の傾き検知結果を参照して用紙の傾き角度を算出し、その傾き角度に合わせて形成すべき画像を画像メモリ上で回転させる（図９Ｓ１１）。
【０２４８】
このようにすることで、タブ有用紙およびタブ無用紙上では傾きのない画像が形成される。
また、タブ部の位置や傾き方向などによっては、このような傾き対応画像回転処理を行わないと、ズレが大きくなってタブ部への画像形成はできない可能性がある。しかし、この実施形態のタブ検知センサ８１の検知結果を利用した傾き算出・画像回転処理により、用紙が傾いて給紙されるような場合であっても、タブ部以外の画像形成だけでなく、タブ部への正確な画像形成をも可能にすることができる。また、この場合、タブ検知センサ８１の検知結果を利用しているため、専用の傾き検知センサなどを設ける必要もなく、画像形成装置への負担も生じない。
【０２４９】
また、先行する用紙の最後端部と次の用紙の最先端部とを一定間隔に保つ搬送制御（図９Ｓ１３（図３Ｓ１２に相当））を実行することで、用紙が傾いて給紙される可能性がある場合であっても、生産性向上のために通紙間隔を狭めた搬送を行う場合にも、タブ有用紙とその前後の用紙とが衝突することがなく、通紙間隔に余分な余裕を持たせる必要がなくなる。この結果、以上のような構成と動作とにより、多種多様なタブ有用紙を用いて、複雑な設定操作をすることなく、タブ有用紙のタブ部をも含めて片面あるいは両面の画像形成をする場合に、生産性を最大限に活かしつつ画像形成が可能になる。
【０２５０】
なお、以上の図９Ｓ１３の「先行する用紙の最後端部と次の用紙の最先端部とを一定間隔に保つ搬送制御」とは、タブが用紙の後端にある場合には、タブ有用紙の後端と次の用紙の先端との間隔が一定になるような搬送制御が該当する。また、タブが用紙の先端にある場合には、タブ有用紙に先行する用紙の後端とタブ有用紙のタブの先端との間隔が一定になるような搬送制御が該当する。
【０２５１】
なお、以上のフローチャートにおける画像書き出しタイミング制御（図９Ｓ１０）の処理手順を詳細に示すと、図１０のようになる。また、この画像書き出しタイミング制御における機能ブロック図を示せば、図１１のようになる。
【０２５２】
図１１（ａ）において、タブ検知センサ８１からの検知結果を受けた制御部１０１が、タブ検知結果から算出したタブサイズの補正データΔｔｓにより、予め調整されている画像書き出しタイミングデータＴｖｄの補正処理をして、補正された画像書き出しタイミングデータＴｖを、画像書き出しスタートカウンタ１０１ｃのカウント設定レジスタに設定する。
【０２５３】
そして、先端検知センサ８２の検知信号をトリガにして、画像書き出しスタートカウンタ１０１ｃがタイミングデータＴｖまでカウントを行って、画像書き出しスタートタイミングを決定して、画像書き出しスタート信号を画像処理部１２０に伝え、これにより画像の書き出しを開始する。
【０２５４】
また、先端検知センサ８２を使用しない場合には、図１１（ｂ）において、上述した説明と同じように、タブ検知センサ８１の検知結果を受けた制御部１０１が補正された画像書き出しタイミングデータＴｖを、画像書き出しスタートカウンタ１０１ｃのカウント設定レジスタに設定する。
【０２５５】
そして、先端検知センサ８２の検知信号を基にし疑似先端信号発生回路１０１ａで疑似先端信号を発生させ、信号遅延回路１０１ｂで所定時間遅延させ、この遅延された疑似先端信号をトリガにして、画像書き出しスタートカウンタ１０１ｃがタイミングデータＴｖまでカウントを行って、画像書き出しスタートタイミングを決定して、画像書き出しスタート信号を画像処理部１２０に伝え、これにより画像の書き出しを開始する。
【０２５６】
なお、信号遅延回路１０１ｂでの遅延時間は、タブ検知センサ８１の位置と先端検知センサ８２が存在するはずの位置との距離を用紙が搬送されるのに要する時間に相当する。
図１０において、制御部１０１は、タブ検知センサ８１の検知結果により用紙のタブの搬送方向位置が先端側であるかを判断し（図１０Ｓ１）、先端側でなければ（図１０Ｓ１でＮ）Ｔｖ＝Ｔｖｄとして、通常制御を行う（図１０Ｓ５）。
【０２５７】
また、タブ検知センサ８１の検知結果によりタブが先端側であれば（図１０Ｓ１でＹ）、制御部１０１は、先端検知センサ８２（画像書き出しスタートセンサ）位置にタブが存在しているかを判断し（図１０Ｓ２）、先端検知センサ８２（画像書き出しスタートセンサ）位置にタブが存在していなければ（図１０Ｓ２でＮ）、該タブに画像形成（印字）を行うか否かを判断する（図１０Ｓ４）。
【０２５８】
先端検知センサ８２位置にタブが存在しておらず（図１０Ｓ２でＮ）、タブに画像形成をする場合には（図１０Ｓ４でＹ）、制御部１０１は、Ｔｖ＝Ｔｖｄ−Δｔｓとして、タブ部分の補正を行う（図１０Ｓ９）。すなわち、このとき、図１４（ｂ）に示すように、予め調整された画像書き出しタイミングデータＴｖｄをタブの搬送方向長さΔｔｓで補正し、タイミングデータＴｖ（画像書きだしスタートカウンタ１０１ｃのカウント設定レジスタに設定するデータ）をＴｖｄ−Δｔｓとする。
【０２５９】
また、タブに画像形成をしない場合には（図１０Ｓ４でＮ）、図１４（ｃ）に示すように、Ｔｖ＝Ｔｖｄとして、制御部１０１はタブ部分の補正を行わない（図１０Ｓ８）。
先端検知センサ８２位置にタブが存在していて（図１０Ｓ２でＹ）、タブに画像形成をしない場合には（図１０Ｓ３でＮ）、制御部１０１は、タブ部分の補正を行う（図１０Ｓ６）。すなわち、このとき、図１４（ｅ）に示すように、Ｔｖをタブの搬送方向長さΔｔｓで補正し、タイミングデータＴｖ（画像書きだしスタートカウンタ１０１ｃのカウント設定レジスタに設定するデータ）をＴｖｄ＋Δｔｓとする。
【０２６０】
また、タブに画像形成をする場合には（図１０Ｓ３でＹ）、図１４（ｄ）に示すように、制御部１０１は、Ｔｖ＝Ｔｖｄとして、タブ部分の補正を行わない（図１０Ｓ７）。
そして、制御部１０１がカウント設定レジスタにデータＴｖをセットし（図１０Ｓ１０）、画像書き出しスタートカウンタ１０１ｃが所定のタイミング調整を行ってから画像処理部１２０に画像書き出しスタート信号を伝達する。
【０２６１】
なお、図１１（ｂ）に示すような構成の場合には、タブ検知センサ８１の検知結果から生成された疑似先端信号が遅延された信号を、用紙の先端検知結果の代用として用いればよい。
【０２６２】
なお、以上の動作説明でのタブに応じた画像書き出しタイミング算出と制御とについては、以下の（１）〜（７）のいずれかのように実行することが望ましい。
（１）タブに画像を形成可能な場合に、タブ検知センサ８１の検知結果と、タブが用紙の先端側にあるか後端側にあるかの入力情報とに基づいて、画像形成タイミングを制御する。
【０２６３】
（２）タブに画像を形成可能な場合に、タブ検知センサ８１で検知された搬送直交方向タブ位置と、タブが用紙の先端側にあるか後端側にあるかの入力情報とに基づいて、画像形成タイミングを制御する。
【０２６４】
（３ａ）タブに画像を形成可能な場合に、該タブが先端／後端のいずれにあるかの検知結果と、該タブが先端／後端のいずれにあるかの入力情報とに基づいて、画像形成タイミングを制御する。
【０２６５】
（３ｂ）タブに画像を形成可能な場合に、搬送直交方向タブ位置の検知結果と、該タブが先端／後端のいずれにあるかの検知結果と、該タブが先端／後端のいずれにあるかの入力情報とに基づいて、画像形成タイミングを制御する。
【０２６６】
（４ａ）タブに画像を形成可能な場合に、タブ検知センサ８１の検知結果と、タブが用紙の先端側にあるか後端側にあるかの入力情報とに基づいて、タブを有する用紙のタブを含めた両面に画像を形成するように、画像形成タイミングを制御する。
【０２６７】
（４ｂ）タブに画像を形成可能な場合に、タブ検知センサ８１で検知された搬送直交方向タブ位置と、タブが用紙の先端側にあるか後端側にあるかの入力情報とに基づいて、タブを有する用紙のタブを含めた両面に画像を形成するように、画像形成タイミングを制御する。
【０２６８】
（４ｃ）タブに画像を形成可能な場合に、該タブが先端／後端のいずれにあるかの検知結果と、該タブが先端／後端のいずれにあるかの入力情報とに基づいて、タブを有する用紙のタブを含めた両面に画像を形成するように、画像形成タイミングを制御する。
【０２６９】
（４ｄ）タブに画像を形成可能な場合に、搬送直交方向タブ位置の検知結果と、該タブが先端／後端のいずれにあるかの検知結果と、該タブが先端／後端のいずれにあるかの入力情報とに基づいて、タブを有する用紙のタブを含めた両面に画像を形成するように、画像形成タイミングを制御する。
【０２７０】
（５ａ）タブに画像を形成可能な場合に、タブ検知センサ８１の検知結果と、タブが用紙の先端側にあるか後端側にあるかの入力情報とに基づいて、画像形成タイミングとして画像形成書き出しタイミングを制御する。
【０２７１】
（５ｂ）タブに画像を形成可能な場合に、タブ検知センサ８１で検知された搬送直交方向タブ位置と、タブが用紙の先端側にあるか後端側にあるかの入力情報とに基づいて、画像形成タイミングとして画像形成書き出しタイミングを制御する。
【０２７２】
（５ｃ）タブに画像を形成可能な場合に、該タブが先端／後端のいずれにあるかの検知結果と、該タブが先端／後端のいずれにあるかの入力情報とに基づいて、画像形成タイミングとして画像形成書き出しタイミングを制御する。
【０２７３】
（５ｄ）タブに画像を形成可能な場合に、搬送直交方向タブ位置の検知結果と、該タブが先端／後端のいずれにあるかの検知結果と、該タブが先端／後端のいずれにあるかの入力情報とに基づいて、画像形成タイミングとして画像形成書き出しタイミングを制御する。
【０２７４】
（５ｅ）タブに画像を形成可能な場合に、タブ検知センサ８１の検知結果と、タブが用紙の先端側にあるか後端側にあるかの入力情報とに基づいて、タブを有する用紙のタブを含めた両面に画像を形成するように、画像形成タイミングとして画像形成書き出しタイミングを制御する。
【０２７５】
（５ｆ）タブに画像を形成可能な場合に、タブ検知センサ８１で検知された搬送直交方向タブ位置と、タブが用紙の先端側にあるか後端側にあるかの入力情報とに基づいて、タブを有する用紙のタブを含めた両面に画像を形成するように、画像形成タイミングとして画像形成書き出しタイミングを制御する。
【０２７６】
（５ｇ）タブに画像を形成可能な場合に、該タブが先端／後端のいずれにあるかの検知結果と、該タブが先端／後端のいずれにあるかの入力情報とに基づいて、タブを有する用紙のタブを含めた両面に画像を形成するように、画像形成タイミングとして画像形成書き出しタイミングを制御する。
【０２７７】
（５ｈ）搬送直交方向タブ位置の検知結果と、該タブが先端／後端のいずれにあるかの検知結果と、該タブが先端／後端のいずれにあるかの入力情報とに基づいて、タブを有する用紙のタブを含めた両面に画像を形成するように、画像形成タイミングとして画像形成書き出しタイミングを制御する。
【０２７８】
（６）タブに画像を形成可能な場合に、タブ検知センサ８１による各種検知結果だけでなく、操作部１１１からのタブが用紙の先端側にあるか後端側にあるかの入力情報にも基づいて、各種画像形成タイミングを制御する。
【０２７９】
（７）タブタイプ、タブ位置、タブ幅、タブ長さ、タブ分割数、挿入頁、タブ画像形成有無（形成面）、タブ画像形成内容のうち少なくとも一つを含むタブ検知センサ８１による各種検知結果と、操作部１１１からのタブが用紙の先端側にあるか後端側にあるかの入力情報とに基づいて、各種画像形成タイミングを制御する。
【０２８０】
〈その他の実施形態〉
なお、以上の第一および第二の実施形態において、指定外のタブ有用紙が給紙された場合に警告の後に画像形成装置動作を停止させていたが、必ずしも画像形成動作を停止させる必要が無い場合には停止させない制御も可能である。
【０２８１】
たとえば、指定されたタブ部より大きなタブ部を有するタブ有用紙が給紙され、タブ部への画像形成が問題なく実行可能な場合には、警告を行うものの画像形成は続行する、などの変形が可能である。このような制御の場合には、タブ部への画像形成がはみ出すような場合、あるいは、まったく不可能な場合には、画像形成を停止させることが望ましい。
【０２８２】
また、制御部１０１は、指定タブ有用紙と実際に給紙されたタブ有用紙とが不一致である旨のアラーム報知（図３Ｓ２１、図１０Ｓ２２）をしてから、画像形成装置の動作を一時停止させる（図３Ｓ２２、図１０Ｓ２３）ようにしていたが、アラーム報知なしで画像形成動作を停止させるように制御してもよい。
【図面の簡単な説明】
【０２８３】
【図１】本発明の実施形態の画像形成装置の電気的な構成を示す機能ブロック図である。
【図２】本発明の実施形態の画像形成装置の機械的な構成を示す構成図である。
【図３】本発明の実施形態の画像形成装置の動作手順を示すフローチャートである。
【図４】本発明の実施形態における処理の様子を様子を示す説明図である。
【図５】本発明の実施形態における処理の様子を様子を示す説明図である。
【図６】本発明の実施形態における処理の様子を様子を示す説明図である。
【図７】本発明の実施形態における処理の様子を様子を示す説明図である。
【図８】本発明の実施形態における処理の様子を様子を示す説明図である。
【図９】本発明の実施形態における処理の様子を様子を示すフローチャートである。
【図１０】本発明の実施形態における処理の様子を様子を示すフローチャートである。
【図１１】本発明の実施形態における処理の様子を様子を示す説明図である。
【図１２】本発明の実施形態において搬送される二枚の用紙のタブの搬送方向位置と、用紙間隔の制御の概念について説明するための説明図である。
【図１３】本発明の実施形態で行われる搬送制御での紙間補正データ算出処理について、その詳細を示すフローチャートである。
【図１４】本発明の実施形態におけるタイミング補正の様子を示す説明図である。
【図１５】画像形成装置で使用されるタブ有用紙の様子を様子を示す説明図である。
【図１６】画像形成装置で使用されるタブ有用紙の様子を様子を示す説明図である。
【図１７】画像形成装置で使用されるタブ有用紙の様子を様子を示す説明図である。
【符号の説明】
【０２８４】
８１  タブ検知センサ
８２  先端検知センサ
１００  画像形成装置
１０１  制御部
１１０  操作表示部
１１１  操作部
１１２  表示部
１２０  画像処理部
１３０  メモリ
１４０  プリントエンジン
【図１】
2005225673.tif 000003
【図２】
2005225673.tif 000004
【図３】
2005225673.tif 000005
【図４】
2005225673.tif 000006
【図５】
2005225673.tif 000007
【図６】
2005225673.tif 000008
【図７】
2005225673.tif 000009
【図８】
2005225673.tif 000010
【図９】
2005225673.tif 000011
【図１０】
2005225673.tif 000012
【図１１】
2005225673.tif 000013
【図１２】
2005225673.tif 000014
【図１３】
2005225673.tif 000015
【図１４】
2005225673.tif 000016
【図１５】
2005225673.tif 000017
【図１６】
2005225673.tif 000018
【図１７】
2005225673.tif 000019